(57)【特許請求の範囲】
【請求項１】
発光による演出を行う回転発光装置を備えた遊技機において、
前記回転発光装置は、
所定方向に光を照射する第１発光体と、
前記第１発光体の光照射方向前側に延在して該第１発光体の光を該光照射方向と交差する方向へ反射する反射面を有し、第１発光体の光照射方向に沿って延在する回転軸線を中心に回転されて該第１発光体の周囲を回る回転部材と、
前記回転部材の回転に伴う反射面による第１発光体の光の反射方向前側を覆うように設けられ、光を透過可能なカバー部材と、
前記第１発光体と同じ方向に光を照射して、該第１発光体の光照射方向に沿って延在する前記カバー部材の壁面を照らす第２発光体とを備えた
ことを特徴とする遊技機。
【請求項２】
前記回転部材の回転軸線を挟む両側の夫々に前記第２発光体が設けられ、各第２発光体は、回転部材と遊技機の前後方向に重ならないように配置される請求項１記載の遊技機。
【請求項３】
前記第２発光体は、前記カバー部材で囲まれる領域の外側に臨むように設けられ、該第２発光体を挟んで該カバー部材に対向するように設けられた補助反射部によって、第２発光体から照射した光をカバー部材に向けて反射するよう構成された請求項１または２記載の遊技機。
【請求項４】
前記第２発光体は、前記カバー部材の遊技機後側に配置されると共に、前記補助反射部が第２発光体の遊技機後側に設けられ、補助反射部は、第２発光体から照射された光を遊技機前側へ反射するよう構成された請求項３記載の遊技機。
【請求項５】
前記回転部材は、前記第１発光体の光照射方向に沿って延在する第１反射部と、この第１反射部に対して交差方向に屈曲するように連設されて該第１発光体の光照射方向前側に延在する前記反射面を有する第２反射部とを備えた請求項１〜４の何れか一項に記載の遊技機。
【発明の詳細な説明】
【技術分野】
【０００１】
この発明は、光による演出を行う回転発光装置を備えた遊技機に関するものである。
【背景技術】
【０００２】
従来より、パチンコ機において、その盤面にランプやＬＥＤ等の発光体を配置して、リーチ時、大当り時等に、盤面を華やかに発光させて、リーチ時の期待感や、大当り時の充足感を演出して、遊技の趣興を高めている。ここで、従来のように、発光体を単に点灯・点滅させるのではなくて、サーチライトのような照射光を遊技者側に向けて回転移動照射すれば、従来の発光態様と異なった光演出効果を期待できる。すなわち、盤面に略平行の回転軸に支持された回転発光装置を該盤面に配置して、回転灯を回転駆動させることが考えられる(例えば、特許文献１参照)。
【先行技術文献】
【特許文献】
【０００３】
【特許文献１】特開２０１０−２４００６０号公報
【発明の概要】
【発明が解決しようとする課題】
【０００４】
特許文献１の回転発光装置は、発光体からの光に臨むと共に該光の照射方向と交差する方向に光を反射する反射面を有する反射部材を駆動手段で回転することで、反射部材が光源の周囲を回動し、これに伴って反射部材が光を周囲に反射するようになっている。回転発光装置では、反射部材に照射する発光体の光を強くすることで発光演出効果を向上することが考えられるが、発光体の数を増やすと、発光体の設置スペースや発光体から照射される光を反射する反射部材を大きくする必要があり、反射部材を照らす発光体を単純に増やす構成ではスペースの制約を大きく受ける。
【０００５】
すなわち本発明は、従来の技術に係る遊技機に内在する前記問題に鑑み、これらを好適に解決するべく提案されたものであって、効果的な発光演出を行い得る回転発光装置を備えた遊技機を提供することを目的とする。
【課題を解決するための手段】
【０００６】
前記課題を克服し、所期の目的を達成するため、本願の請求項１に係る発明の遊技機は、
発光による演出を行う回転発光装置(300)を備えた遊技機において、
前記回転発光装置(300)は、
所定方向に光を照射する第１発光体(320)と、
前記第１発光体(320)の光照射方向前側に延在して該第１発光体(320)の光を該光照射方向と交差する方向へ反射する反射面(327a)を有し、第１発光体(320)の光照射方向に沿って延在する回転軸線を中心に回転されて該第１発光体(320)の周囲を回る回転部材(324)と、
前記回転部材(324)の回転に伴う反射面(327a)による第１発光体(320)の光の反射方向前側を覆うように設けられ、光を透過可能なカバー部材(330)と、
前記第１発光体(320)と同じ方向に光を照射して、該第１発光体(320)の光照射方向に沿って延在する前記カバー部材(330)の壁面(334)を照らす第２発光体(340)とを備えたことを要旨とする。
請求項１に係る発明によれば、第２発光体の発光によってカバー部材を照明することで、回転部材による第１発光体の反射光と複合させて、全体として発光演出を強調することができる。 
【０００７】
請求項２に係る発明では、前記回転部材(324)の回転軸線を挟む両側の夫々に前記第２発光体(340,340)が設けられ、各第２発光体(340)は、回転部材(324)と遊技機(10)の前後方向に重ならないように配置されることを要旨とする。
請求項２に係る発明によれば、第２発光体は、回転部材と前後方向に重ならないように配置されているので、第２発光体で照らされるカバー部材の壁面が回転部材によって隠されず、第２発光体の照明による発光演出を適切に享受し得る。
【０００８】
請求項３に係る発明では、前記第２発光体(340)は、前記カバー部材(330)で囲まれる領域の外側に臨むように設けられ、該第２発光体(340)を挟んで該カバー部材(330)に対向するように設けられた補助反射部(310,376)によって、第２発光体(340)から照射した光をカバー部材(330)に向けて反射するよう構成されたことを要旨とする。
請求項３に係る発明によれば、補助反射部によって反射した第２発光体の光によってカバー部材をより明輝させることができる。
【０００９】
請求項４に係る発明では、前記第２発光体(340)は、前記カバー部材(330)の遊技機後側に配置されると共に、前記補助反射部(310,376)が第２発光体(340)の遊技機後側に設けられ、補助反射部(310,376)は、第２発光体(340)から照射された光を遊技機前側へ反射するよう構成されたことを要旨とする。
請求項４に係る発明によれば、補助反射部によって比較的暗くなるカバー部材の後側を照らすことができる。
【００１０】
請求項５に係る発明では、前記回転部材(324)は、前記第１発光体(320)の光照射方向に沿って延在する第１反射部(326)と、この第１反射部(326)に対して交差方向に屈曲するように連設されて該第１発光体(320)の光照射方向前側に延在する前記反射面(327a)を有する第２反射部(327)とを備えたことを要旨とする。
請求項５に係る発明によれば、回転部材は、第１反射部が第１発光体の光照射方向に沿って延在するように構成されているので、該回転部材の回転時に回転部材で第１発光体の光を隠す期間を短くすることができる。
【発明の効果】
【００１１】
本発明に係る遊技機によれば、回転発光装置によって効果的な発光演出を行い得る。
【図面の簡単な説明】
【００１２】
【図１】本発明の好適な実施例に係るパチンコ機を示す正面図である。
【図２】実施例の遊技盤を示す正面図であって、(ａ)は第１可動部材が第１姿勢にあると共に可動体が待機位置にあり、(ｂ)は第１可動部材が第２姿勢にあると共に可動体が動作位置にある。
【図３】実施例の遊技盤の要部正面図であって、発光演出装置を破線で示す。
【図４】実施例の設置部材を示す正面図であって、(ａ)は第１可動部材が第２姿勢にあると共に可動体が動作位置にある状態を示し、(ｂ)は、可動演出装置を取り外した要部を示し、動作演出装置の第１可動部材が第１姿勢となっている。
【図５】(ａ)は、実施例の動作演出装置の正面図であって、第１可動部材が第１姿勢にあると共に第２可動部材が第１位置にある状態を示し、(ｂ)は、(ａ)の背面図を示し、(ｃ)は、実施例の動作演出装置の正面図であって、第１可動部材が第２姿勢にあると共に第２可動部材が第２位置にある状態を示す。
【図６】実施例の動作演出装置の動作伝達機構を示す背面図であって、(ａ)は第１可動部材の第１姿勢を示し、(ｂ)は第１可動部材の第２姿勢を示す。
【図７】実施例の動作演出装置の動作リンク機構を示す背面図であって、(ａ)は第２可動部材の第１位置を示し、(ｂ)は第２可動部材の第２位置を示す。
【図８】図６(ｂ)のＡ−Ａ線断面図である。
【図９】実施例の動作演出装置を前側から見た分解斜視図である。
【図１０】実施例の動作演出装置を後側から見た分解斜視図である。
【図１１】実施例の可動演出装置を示す正面図であって、(ａ)は可動体が待機位置にあり、(ｂ)は可動体が動作位置にあり、(ｃ)は可動体を取り外した状態を示す。
【図１２】(ａ)は実施例の可動演出装置の底面図であり、(ｂ)は実施例の可動演出装置を下側から見た概略斜視図であり、(ｃ)はガイド手段を示す拡大図である。
【図１３】実施例の可動演出装置を示す背面図であって、連係収容カバーを取り外した状態を示す。
【図１４】(ａ)は実施例の可動体を示す背面図であり、(ｂ)は実施例の可動体の左側面図である。
【図１５】図１１(ａ)のＢ−Ｂ線断面図である。
【図１６】(ａ)は図１１(ａ)のＣ−Ｃ線断面図であり、(ｂ)は図１１(ｂ)のＤ−Ｄ線断面図である。
【図１７】(ａ)は実施例の回転発光装置を示す正面図であり、(ｂ)は実施例の回転発光装置を示す右側面図であり、(ｃ)は実施例の回転発光装置を示す左側面図である。
【図１８】(ａ)は実施例の回転発光装置において回転灯外周部材を取り外した状態で示す平面図であり、(ｂ)は実施例の回転発光装置を回転灯外周部材および回転灯カバー部材を取り外した状態で示す平面図であり、(ｃ)は実施例の回転発光装置を回転灯外周部材および回転灯カバー部材を取り外した状態で示す正面図であり、(ｄ)は実施例の回転発光装置を回転灯外周部材および回転灯カバー部材を取り外した状態で示す左側面図である。
【図１９】(ａ)は図１７(ａ)のＥ−Ｅ線断面図であり、(ｂ)は図１７(ａ)のＦ−Ｆ線断面図である。
【図２０】図１７(ａ)のＧ−Ｇ線断面図である。
【図２１】実施例の回転発光装置を前側から見た分解斜視図である。
【図２２】実施例の回転灯発光装置において、回転部材の反射鏡面の向きと第２回転灯発光体とを連動させる発光パターンを示す説明図である。
【図２３】実施例の回転灯発光装置において、回転部材の反射鏡面の向きと第２回転灯発光体とを連動させる別の発光パターンを示す説明図である。
【図２４】実施例の右部演出ユニットを示す正面図である。
【図２５】実施例の右部演出ユニットを示す背面図である。
【図２６】実施例の右部演出ユニットを示す左側面図である。
【図２７】実施例の右部演出ユニットを、発光演出部の発光カバー部材を取り外した状態で示す正面図である。
【図２８】実施例の右部演出ユニットを、装飾部および透光部を取り外した状態で示す左側面図である。
【図２９】(ａ)は図２４のＨ−Ｈ線断面図であり、(ｂ)は図２４のＩ−Ｉ線断面図であり、(ｃ)は図２４のＪ−Ｊ線断面図である。
【図３０】実施例の透光部の右側面図である。
【図３１】実施例の右部演出ユニットを前側から見た分解斜視図である。
【図３２】実施例の右部演出ユニットにおいて上段発光演出部の反射面と発光源との関係を示す説明図であって、(ａ)は反射面と発光源との演出部幅方向の関係を示し、(ｂ)は反射面と発光源とのパチンコ機前後方向の関係を示す。
【図３３】実施例の右部演出ユニットにおいて中段発光演出部の反射面と発光源との関係を示す説明図であって、(ａ)は反射面と発光源との演出部幅方向の関係を示し、(ｂ)は反射面と発光源とのパチンコ機前後方向の関係を示す。
【図３４】実施例の右部演出ユニットにおいて下段発光演出部の反射面と発光源との関係を示す説明図であって、(ａ)は反射面と発光源との演出部幅方向の関係を示し、(ｂ)は反射面と発光源とのパチンコ機前後方向の関係を示す。
【図３５】実施例の右部演出ユニットにおいて各発光演出部の発光パターンを示す説明であって、(ａ)は上段発光演出部における回転発光演出の発光パターンを示し、(ｂ)は中段発光演出部における回転発光演出の発光パターンを示し、(ｃ)は下段発光演出部における回転発光演出の発光パターンを示す。
【発明を実施するための形態】
【００１３】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機)
図１に示すように、実施例に係るパチンコ機１０は、矩形枠状に形成されて遊技店の図示しない設置枠台に固定される固定枠としての外枠１１の開口前面側に、後述する遊技盤２０(図２参照)が着脱可能に保持された本体枠としての中枠１２が開閉および着脱可能に組付けられている。また、遊技盤２０の後側には、各種図柄を変動表示可能な図柄表示装置１３(図１または図２参照)が着脱し得るよう配設されている。中枠１２の前面側には、遊技盤２０を透視保護するガラス板を備えた装飾枠としての前枠１４が開閉可能に組付けられると共に、前枠１４の下方にパチンコ球を貯留する下球受け皿１５が開閉可能に組付けられる。なお、実施例では、前枠１４の下部位置に下球受け皿１５の上側に位置して、パチンコ球を貯留する上球受け皿１６が一体的に組付けられており、前枠１４の開閉に合わせて上球受け皿１６も一体的に開閉するよう構成される。なお、実施例のパチンコ機１０では、図柄表示装置１３として、液晶画面からなる表示部１３ａで各種演出表示を行う液晶タイプが採用されている。
【００１５】
(遊技盤)
前記中枠１２に配設される遊技盤２０は、図２に示すように、前面(盤面)にパチンコ球が流下可能な遊技領域２０ａが画成され、アクリルやポリカーボネート等の透明な樹脂製からなる平板状の板部材で構成される。実施例の遊技盤２０は、透明なアクリル板からなる所謂透明盤であって、図３に示すように、該遊技盤２０の後側に配設された設置部材４０(図４参照)の前面に配設された後述する発光演出装置４００の発光演出部４１０やその他の演出手段を前側から視認可能になっている。遊技盤２０の前面には、円弧状に形成した案内レール２１が配設されると共に、該案内レール２１の右方位置に、左端縁が右方に凹む円弧状に形成した盤面飾り部材２２が配設される。そして、案内レール２１および盤面飾り部材２２により遊技領域２０ａが略円形状に画成され、中枠１２に配設された図示しない打球発射装置から発射されたパチンコ球が遊技領域２０ａ内に打ち出され、該遊技領域２０ａ内をパチンコ球が流下して遊技が行われる。また、遊技盤２０の遊技領域２０ａ内には、多数の遊技釘が植設されており、該遊技釘との接触により遊技領域２０ａを流下するパチンコ球の流下方向が不規則に変化するよう構成してある。
【００１６】
前記遊技盤２０には、図１または図２に示すように、後述する枠状装飾体２８の下縁より下方位置に、前記遊技領域２０ａを流下するパチンコ球が入賞可能な始動入賞装置２４および特別入賞装置２５やパチンコ球が通過可能なゲート２６等が配設される。なお、図２の符号２７は、遊技盤２０に配設されて、常に入賞口を開放している普通入賞装置を示す。
【００１７】
(枠状装飾体)
前記遊技盤２０の中央には、前後に貫通する大型の貫通口(図示せず)が形成されており、該貫通口に対して前後に開口する窓口２８ａを有する枠状装飾体(所謂センター役物)２８が嵌め込まれるように着脱可能に配設される(図１または図２(ａ)参照)。そして、後述する設置部材４０の表示開口部４０ａから臨む図柄表示装置１３の表示部１３ａは、枠状装飾体２８における前後に開口する窓口２８ａを介して遊技盤２０の前側に露出して、前述した始動入賞装置２４への入賞を契機として該図柄表示装置１３の表示部１３ａで展開される図柄変動演出やリーチ演出等の遊技演出を前側から視認し得るようになっている(図１または図２参照)。枠状装飾体２８には、図２に示すように、上縁部から左右両縁部に亘り、遊技盤２０の前面より前側に突出する円弧状の庇状部２８ｂが設けられており、遊技領域２０ａに打ち出されたパチンコ球を外周部の庇状部２８ｂで案内し得ると共に、該パチンコ球が枠状装飾体２８の窓口２８ａを横切って流下するのを該庇状部２８ｂで規制している。
【００１８】
(設置部材)
前記遊技盤２０の後面には、各種の遊技部品が配設される合成樹脂材で形成された設置部材４０(図４参照)が配設され、この設置部材４０の後側に図柄表示装置１３が着脱可能に配設されている。設置部材４０は、前側に開口する矩形箱状に形成されており、開口端部に形成された取付部を遊技盤２０の後面に突き当ててネジ止め固定される。設置部材４０には、遊技盤２０の後面に対向する設置板部に、前後に貫通する大型の表示開口部４０ａが設けられている。設置部材４０は、遊技盤２０に取り付けた際に、該遊技盤２０の貫通口の後側に表示開口部４０ａが重なると共に、設置板部と遊技盤２０との間に遊技部品を配設可能な所要の設置空間が画成される。
【００１９】
図４(ｂ)に示すように、前記設置部材４０には、動作体１１０の動作による演出を行う動作演出装置１００が表示開口部４０ａの上側に配設されている。また、設置部材４０には、可動体２２０の動作による演出を行う可動演出装置２００が、動作演出装置１００の前側に重ねて表示開口部４０ａの上側に配設されている(図４(ａ)参照)。すなわち、設置部材４０における表示開口部４０ａに上側には、前後に重ねて２つの演出装置１００,２００が配設され、遊技盤２０に設置部材４０を取り付けた際に、前側に位置する可動演出装置２００の可動体２２０が枠状装飾体２８の窓口２８ａの内側に臨むようになっている(図１、図２(ａ)または図３参照)。
【００２０】
前記設置部材４０には、発光演出を行う複数の発光演出部４１０を夫々備えた一対の演出部ユニット４０２Ａ,４０２Ｂからなる発光演出装置４００が配設されている(図４参照)。図３に示すように、設置部材４０には、表示開口部４０ａを左右に挟んで一対の演出部ユニット４０２Ａ,４０２Ｂが左右対称な関係で配置されており、表示開口部４０ａの右側部に位置する右部演出部ユニット４０２Ａが、窓口２８ａの内側から遊技盤２０との間の前記設置空間にかけて設置されている。これに対して、表示開口部４０ａの右側部に位置する右部演出部ユニット４０２Ａは、表示部１３ａ側の側端部を除く大部分が、遊技盤２０との間の前記設置空間に収容されている。すなわち、実施例のパチンコ機１０では、演出ユニット４０２Ａ,４０２Ｂに設けられた発光演出部４１０が、窓口２８ａを介して前側から直接視認可能であるか、または透明な遊技盤２０を介して前側から視認可能に構成されている。
【００２１】
(動作演出装置)
前記動作演出装置１００は、設置部材４０における表示開口部４０ａの上側に配設され(図４(ａ)参照)、該表示開口部４０ａを介して前側に臨む表示部１３ａの上側に配置されている。図４〜図１０に示すように、動作演出装置１００は、遊技盤２０に対して動作可能な動作体１１０を備え、表示部１３ａで行われる遊技演出に合わせてまたは遊技演出と独立して動作体１１０を動かすことで、所定の動作演出を行うようになっている。実施例の動作演出装置１００では、動作体１１０(第１可動部材１１２)が、表示部１３ａの上側(傍ら)に退避した第１姿勢(図４(ｂ),図５(ａ),(ｂ),図６(ａ)参照)と表示部１３ａの前側に臨む第２姿勢(図４(ａ),図５(ｃ),図６(ｂ)参照)との間で動作するよう構成される。また、動作演出装置１００は、設置部材４０の上部前面に取り付けられる動作ベース１０２に、動作体１１０等の構成部材が設置されて(図９または図１０参照)、該動作ベース１０２を介して単一のユニットとして取り扱い可能になっている。
【００２２】
前記動作演出装置１００では、遊技盤２０に対して変位可能に支持された第１可動部材１１２と、この第１可動部材１１２に変位可能に設けられ、該第１可動部材１１２の前面に沿って第１位置(図５(ａ)または図７(ａ)参照)と第２位置(図５(ｃ)または図７(ｂ)参照)との間で変位されて第１可動部材１１２の被覆領域を変える第２可動部材１３０とによって、パチンコ機１０のモチーフに合わせた形状(実施例ではショットガンの如き形状)の動作体１１０が構成されている。また、動作演出装置１００は、遊技盤２０側に設けられ、第１可動部材１１２を第１姿勢と第２姿勢との間で揺動させる動作モータ(第１駆動手段)１２０と、第１可動部材１１２に設けられ、第１位置と第２位置との間で第２可動部材１３０を変位させる動作ソレノイド(第２駆動手段)１４０とを備えている(図７参照)。第１可動部材１１２は、第１位置にある第２可動部材１３０で前側が覆われると共に該第２可動部材１３０の第２位置でパチンコ機前側に露出する領域に設けられた動作発光手段(発光手段)１５２を備えている(図５(ｃ)参照)。動作発光手段１５２は、第２可動部材１３０が第２位置にあるタイミングで、少なくとも光を照射して発光演出するよう制御される。第１可動部材１１２は、遊技盤２０に固定される動作ベース１０２に一端部が軸支されて、第１姿勢と第２姿勢との間で動作モータ１２０によって動作伝達機構１２４,１２６,１２８を介して揺動される(図６または図７参照)。これに対し、第２可動部材１３０は、第１可動部材１１２の軸支端部側に配設された動作ソレノイド１４０で作動する動作リンク機構１４２によって、第１可動部材１１２の軸支端部に対して近接・離間するように往復動される(図７参照)。
【００２３】
前記動作ベース１０２は、透明な樹脂成形品であり、左右方向に長手が延在する板状の動作ベース本体１０４と、この動作ベース本体１０４の右側部前側に設置され、後側および左方に開放した略トレイ形状に形成された動作ベースカバー部１０６とから構成されている(図９または図１０参照)。動作ベース１０２には、動作ベース本体１０４と動作ベースカバー部１０６との間に左方から左斜め下にかけて開口した第１収容空間１０２ａが画成され(図５参照)、この第１収容空間１０２ａに第１可動部材１１２の一端部(軸支端部)が収容されて、第１可動部材１１２が第１収容空間１０２ａの左側から延出するようになっている。動作ベース本体１０４は、左右方向の中央部が下方に開放した凹状に切り欠かれており、この凹部１０４ａの前側に第１姿勢の動作体１１０が位置するように構成されている(図４(ｂ)または図５(ａ)参照)。また、動作ベース本体１０４は、前側に突出するよう形成された台状部１０４ｂを左側部に備えている。台状部１０４ｂの前面には、動作モータ１２０、動作ソレノイド１４０、動作発光手段１５２、可動演出装置２００、この可動演出装置２００に設置される回転発光装置３００等の電気部品に繋がるハーネスが接続される上部中継基板１７０が設置されている(図５(ａ)、図９または図１０参照)。
【００２４】
前記第１可動部材１１２は、動作体１１０の本体を構成する部分であり、動作ベース１０２へ軸支した軸支端部側から自由端部側に向けて長手が延在する略棒形状に形成されている(図５参照)。第１可動部材１１２は、第１姿勢において軸支端部となる右端部が動作ベース１０２の右側部に支持されて、自由端部となる左端部が動作ベース１０２の左右方向中央に位置し、該第１可動部材１１２の長手が水平方向に延在している(図５(ａ)参照)。すなわち、第１姿勢にある第１可動部材１１２は、軸支端部が表示部１３ａの右角部近傍に配置されて、表示部１３ａの上縁に長手を沿わせた状態で自由端部が該表示部１３ａの位置している。そして、第１可動部材１１２は、第１姿勢から自由端部となる左端部が下方に変位するように回動することで、表示部１３ａの上部右側から中央側に向かうにつれて下方傾斜する第２姿勢となり、第２姿勢でショットガンの銃身を模した第１可動部材１１２の意匠部分が窓口２８ａを介して遊技盤２０の前側に臨むようになっている(図２(ｂ)参照)。
【００２５】
前記第１可動部材１１２は、軸支端部側が自由端部側と比べて上下方向(短手方向)に幅広に形成されており、幅広の軸支端部側に動作ソレノイド１４０が設置されている(図７参照)。また、第１可動部材１１２は、右端部下隅に前後方向に挿通固定された動作支軸１１４を備え、動作支軸１１４の後端が動作ベース本体１０４の右側部に設けられた本体側支軸孔１０４ｃに回転可能に支持されると共に、動作支軸１１４の前端が動作ベースカバー部１０６に設けられたカバー部側支軸孔１０６ａに軸受キャップ１０７を介して回転可能に支持されるようになっている(図９または図１０参照)。すなわち、第１可動部材１１２は、前後方向に延在する動作支軸１１４の軸線を中心として、遊技盤２０の盤面に対して平行な状態を保ったまま揺動変位するように構成されている。第１可動部材１１２では、動作ソレノイド１４０が上側に偏倚するように配置され、動作支軸１１４が動作ソレノイド１４０の下側に配置されている。
【００２６】
前記第１可動部材１１２は、該第１可動部材１１２の前側を構成する第１可動部材本体１１５と、後側に開放した器状に形成された第１可動部材本体１１５の後部開口を塞ぐように該第１可動部材本体１１５に取り付けられた第１可動部材副体１１６とから外殻が基本的に構成されている。そして、第１可動部材１１２には、第１可動部材本体１１５と第１可動部材副体１１６との間に、動作ソレノイド１４０、動作リンク機構１４２および動作発光手段１５２を収容する第２収容空間１１２ａが設けられている。
【００２７】
前記動作演出装置１００では、ステッピングモータ等の動作モータ１２０と、この動作モータ１２０の正逆回転駆動を第１可動部材１１２に伝達する動作伝達機構１２４,１２６,１２８とから駆動系が構成されている(図６または図７参照)。動作モータ１２０は、動作ベースカバー部１０６の前面に出力軸を後側へ向けて取り付けられ、第１収容空間１０に臨む該出力軸の後端(先端)にピニオン１２０ａが固定されている。動作伝達機構は、動作モータ１２０の出力軸に固定されたピニオン１２０ａに噛み合う第１動作ギヤ１２４と、第１動作ギヤ１２４と同軸的に設けられ、該第１動作ギヤ１２４の回転に伴って回転する第２動作ギヤ１２６と、動作支軸１１４に固定されて、第２動作ギヤ１２６に噛み合う第３動作ギヤ１２８とから構成されている。なお、第１〜第３動作ギヤ１２４,１２６,１２８は、外周に設けられた歯すじが回転軸線に沿う平歯車である。実施例では、第１動作ギヤ１２４と第２動作ギヤ１２６とが一体的に形成されており、第２動作ギヤ１２６の前側に位置する第１動作ギヤ１２４が、第２動作ギヤ１２６より大径に形成されている(図１０参照)。第３動作ギヤ１２８は、動作支軸１１４から第１可動部材１１２の自由端部と反対側に向けて延出する扇状に形成され、第１動作ギヤ１２４の後側において第２動作ギヤ１２６に噛み合っている。第１動作ギヤ１２４および第２動作ギヤ１２６は、動作モータ１２０のピンオン１２０ａの下側に位置して、動作ベース本体１０４と動作ベースカバー部１０６との間に回転可能に軸支されている。
【００２８】
前記第３動作ギヤ１２８には、動作ベース本体１０４に臨む後面および動作ベースカバー部１０６に臨む後面の夫々に、第２動作ギヤ１２６に噛み合う歯の根元部分に動作支軸１１４を中心とする円弧筋状に延在する位置決め突条１２８ａが突設されている(図９または図１０参照)。これに対し、動作ベース本体１０４の前面には、第３動作ギヤ１２８の後面の位置決め突条１２８ａに対して第１可動部材１１２の第１姿勢で向かい合うように本体側ギヤ受け突条１０４ｄが円弧筋状に形成され、本体側ギヤ受け突条１０４ｄに後側の位置決め突条１２８ａが当接することで、第３動作ギヤ１２８の後側への移動が規制される。また、動作ベースカバー部１０６の後面には、第３動作ギヤ１２８の前面の位置決め突条１２８ａに対して第１可動部材１１２の第１姿勢で向かい合うようにカバー部側ギヤ受け突条１０６ｂが円弧筋状に形成され、カバー部側ギヤ受け突条１０６ｂに前側の位置決め突条１２８ａが当接することで、第３動作ギヤ１２８の前側への移動が規制される。すなわち、第１可動部材１１２は、第３動作ギヤ１２８が前後のギヤ受け突条１０４ｄ,１０６ｂに位置決め突条１２８ａを介して挟まれることで、前後方向のガタツキを抑制して、安定してスムーズに動作させることができる。また、第１可動部材１１２は、位置決め突条１２８ａと対応のギヤ受け突条１０４ｄ,１０６ｂとが接触する場合に接触面積を最小限に抑えることで、摺動負荷が軽減するようになっている。なお、動作ベース本体１０４の前面には、動作モータ１２０の出力軸に対向して前側に向けて突出するピニオン受けボス１０４ｅが設けられ(図９参照)、ピニオン１２０ａの中央部に該ピニオン受けボス１０４ｅが臨んでいる。
【００２９】
前記第１可動部材１１２の後面には、動作支軸１１４を挟んで第３動作ギヤ１２８の延出方向と反対側で、かつ動作支軸１１４の上側(表示部１３ａから離間する側)に位置して、補助支持部１１７が設けられている(図６参照)。動作ベース本体１０４には、第１可動部材１１２の第１姿勢と第２姿勢との間の変位に伴う補助支持部１１７の変位軌跡に沿って延在するように、補助支持孔１０４ｆが前後に貫通形成されている(図５(ｂ)参照)。補助支持部１１７は、円柱状の本体部分の後端に径方向に延出する延出部分を有し、本体部分を補助支持孔１０４ｆに挿通すると共に延出部分を補助支持孔１０４ｆの開口縁後面に係止するようになっている(図９または図１０参照)。そして、補助支持部１１７は、第１可動部材１１２の姿勢変位方向の移動が補助支持孔１０４ｆに許容される一方、補助支持孔１０４ｆの開口縁に前後方向への移動が規制された状態で引っ掛かっており、第１可動部材１１２の姿勢変位を妨げることなく補助支持部１１７と補助支持孔１０４ｆとの係合下に該第１可動部材１１２の前後方向のガタツキを防止している。また、補助支持部１１７は、補助支持孔１０４ｆの上側の閉塞端で位置規制されることで、第１可動部材１１２の第１姿勢を越えた上方への回動を規制すると共に、第２姿勢で補助支持孔１０４ｆの下側の閉塞端で位置規制されることで、第１可動部材１１２の第２姿勢を越えた下方への回動を規制するよう構成される。なお、補助支持孔１０４ｆの開口縁は、段状に形成されて、補助支持部１１７の延出部分がこの段部に整合するようになっている。
【００３０】
前記第１可動部材１１２と動作ベース１０２との間には、第１可動部材１１２を第１姿勢に向けて付勢する補助弾性部材１１８が架設されている(図６参照)。実施例の補助弾性部材１１８は、コイルばねが採用され、一端が第１可動部材１１２の後面において動作支軸１１４より該第１可動部材１１２の自由端部側に取り付けられ、他端が第１可動部材１１２への接続端の上側(第１可動部材１１２が第１姿勢から第２姿勢へ変位する方向と反対側)で動作ベース本体１０４に取り付けられている。なお、実施例の補助弾性部材１１８は、第１可動部材１１２への接続端が動作支軸１１４の近傍に位置している。第１可動部材１１２は、第１姿勢から第２姿勢に向けて下方へ動作する該第１可動部材１１２の重力方向の変位に際して、自重および動作モータ１２０によって補助弾性部材１１８の弾力に抗して回動される。これに対して、第１可動部材１１２は、第２姿勢から第１姿勢に向けて重力に逆らって変位する際に、第２姿勢から第１姿勢に向けた上方へ補助弾性部材１１８によって引っ張られて、該第１可動部材１１２の第１姿勢への姿勢変位が補助される。動作ベース本体１０４には、補助弾性部材１１８の架設位置に対応して弾性部材開口１０４ｇが前後に貫通形成され(図５(ｂ)参照)、補助弾性部材１１８の後部が弾性部材開口における動作ベース本体１０４の板厚分のスペースに収容されて、動作ベース本体１０４の後側に突出しないようになっている。
【００３１】
前記第２可動部材１３０は、第１可動部材１１２の前面下部から下面にかけて沿うように形成された板状の部材であって(図５または図８参照)、第１可動部材１１２に取り付けられている。第２可動部材１３０は、第１可動部材１１２の軸支端部側から自由端部側に向けて延在する該第１可動部材１１２の長手に沿ってスライド変位可能になっている。第２可動部材１３０は、第１位置において第１可動部材１１２の自由端部から長手方向の略中央部にかけての領域を覆うように構成され、この第２可動部材１３０の第１位置では、第１収容空間１０２ａから延出する第１可動部材１１２における軸支端部側の領域が、前側に露出するようになっている(図５(ａ)参照)。また、第２可動部材１３０は、第１位置から第１可動部材１１２の軸支端部側へ変位することで第２位置となり、この第２可動部材１３０の第２位置では、第１可動部材１１２の自由端部側の領域が前側に露出するようになっている(図５(ｃ)参照)。
【００３２】
前記第２可動部材１３０は、第１可動部材１１２の第２収容空間１１２ａに設置された動作ソレノイド１４０によって、動作リンク機構１４２を介して作動される(図７参照)。動作ソレノイド１４０は、第１可動部材１１２の第２収容空間１１２ａにおいて軸支端部側に収容されており、実施例では、動作ソレノイド１４０がプランジャ１４０ａを第１可動部材１１２の自由端部側に向けた姿勢で動作支軸１１４の上側に配置されている。なお、動作ソレノイド１４０は、第１可動部材副体１１６における軸支端部側前面に固定される動作ソレノイド保持部１５０に保持されている(図９または図１０参照)。動作リンク機構１４２は、動作ソレノイド１４０のプランジャ１４０ａに連結され、第１可動部材１１２の長手方向に沿って往復動するプランジャ１４０ａによって往復動する連結片１４３と、この連結片１４３に連結され、連結片１４３で揺動される動作リンク１４４と、この動作リンク１４４の揺動端部に連結されて、動作リンク１４４の揺動によって第１可動部材１１２の長手方向に沿って往復動される動作スライダ１４６とから構成されている(図７、図９または図１０参照)。
【００３３】
前記連結片１４３は、プランジャ１４０ａの延出端部に着脱可能に取り付けられ、後面に後側へ突出する連結軸１４３ａが設けけられている。動作リンク１４４は、棒状の部材であって、第１可動部材副体１１６における軸支端部側前面に固定される動作ソレノイド保持部１５０の前面に設けられた固定軸１５０ａに、長手の一端(実施例では上端)が回転可能に軸支されると共に、長手の他端(実施例では下端)が動作スライダ１４６の右端部(第１可動部材１１２の自由端部側)に後側へ突設された連係軸１４６ａに回転可能に連結されている(図７参照)。また、動作リンク１４４は、動作ソレノイド保持部１５０に接続される上端側に偏倚した部位に連結片１４３の連結軸１４３ａが連結されており、動作リンク１４４は、連結片１４３(プランジャ１４０ａ)の往復動につれて上端を支点として下端が揺動するようになっている。動作リンク１４４は、固定軸１５０ａに対応する軸孔１４４ａが該固定軸１５０ａに整合するよう形成される一方、連結軸１４３ａおよび連係軸１４６ｂに対応する軸孔１４４ｂ,１４４ｃが長孔形状に形成されている。実施例の動作リンク１４４は、上端側に対して下端側が後側に位置するようにクランク状に屈曲形成されている。第１可動部材副体１１６には、動作リンク１４４の下端側に対応して動作リンク開口１１６ａが前後に貫通形成され、動作リンク１４４の下端後部が動作リンク開口１１６ａにおける第１可動部材副体１１６の板厚分のスペースに収容されて(図６参照)、第１可動部材１１２の後側に突出しないようになっている。
【００３４】
前記動作スライダ１４６は、板状の部材であって、その後面に第１可動部材１１２に変位可能に支持される動作スライダ支持部１４７が設けられている(図６,図８または図１０参照)。動作スライダ１４６は、該動作スライダ１４６のスライド変位方向に離間して一対の動作スライダ支持部１４７,１４７を備えており、第１可動部材副体１１６に第１可動部材１１２の長手に沿って延在するよう前後に貫通形成された動作スライダ支持孔１１６ｂに一対の動作スライダ支持部１４７,１４７が係合されている。動作スライダ支持部１４７は、円柱状の本体部分の後端に径方向に延出する延出部分を有し、本体部分を動作スライダ支持部１１６ｂに挿通すると共に延出部分を動作スライダ支持部１１６ｂの開口縁後面に係止するようになっている。そして、一対の動作スライダ支持部１４７,１４７は、第１可動部材１１２の長手方向の移動が動作スライダ支持孔１１６ｂに許容される一方、動作スライダ支持孔１１６ｂの開口縁に前側への移動が規制された状態で引っ掛かっている。
【００３５】
前記動作スライダ１４６と第１可動部材１１２との間には、動作スライダ１４６を第２可動部材１３０の第１位置に向けて付勢するスライダ弾性部材１４８が架設されている(図７参照)。実施例のスライダ弾性部材１４８は、コイルばねが採用され、一端が動作スライダ１４６の左端部(第１可動部材１１２の自由端部側)に取り付けられ、他端が第１可動部材１１２における第１可動部材本体１１５の自由端部側に取り付けられる動作発光手段１５２の後述する動作透光カバー１５４に取り付けられている。動作スライダ１４６は、第２可動部材１３０の第１位置から第２位置に向けた変位に際して、動作ソレノイド１４０の付勢によってスライダ弾性部材１４８の弾力に抗して変位される。これに対して、動作スライダ１４６は、動作ソレノイド１４０による付勢が解除されることで、第２可動部材１３０を第２位置から第１位置に向けて変位するようにスライダ弾性部材１４８に引っ張られる。ここで、動作ソレノイド１４０は、通電によってプランジャ１４０ａが本体側に引き寄せられる所謂プル型のソレノイドが用いられ、動作ソレノイド１４０の付勢が解除されることで、プランジャ１４０ａと本体との間に介挿されたコイルばね１４０ｂによっても、動作スライダ１４６が動作リンク１４４を介して第２位置から第１位置に向けて付勢される(図７参照)。
【００３６】
前記第２可動部材１３０には、該第２可動部材１３０の後面に後側へ向けて第２可動部材固定ボス１３２,１３２が突設され、第１可動部材本体１１５に開設された固定ボス挿通孔１１５ａを介して第２収容空間１１２ａに挿入された第２可動部材固定ボス１３２,１３２が、動作リンク１４４の前面に固定される(図８または図１０参照)。実施例の第２可動部材１３０は、該第２可動部材１３０のスライド変位方向に離間して一対の第２可動部材固定ボス１３２,１３２を備えている。そして、第２可動部材１３０は、動作スライダ１４６の変位に伴って第１可動部材１１２の軸支端部に対して第１位置から近接するように変位し、第２位置から軸支端部に対して離間するように変位するようになっている。このように、動作演出装置１００では、動作リンク機構１４２によって動作ソレノイド１４０の駆動を第２可動部材１３０のスライド変位に変換できる。
【００３７】
前記動作発光手段１５２は、基板１５２ｂの前面に実装されたＬＥＤ等の動作発光体１５２ａと、この動作発光体１５２ａの光照射方向前側を覆う動作透光カバー１５４とを備えており、動作発光体１５２ａの光照射方向前側に対応して動作透光カバー１５４に設けられた動作透光部１５４ａを介して該動作発光体１５２ａの光をパチンコ機前側へ照射し得るようになっている(図９参照)。動作発光手段１５２は、第１可動部材１１２の第２収容空間１１２ａに収容されて、該第１可動部材１１２の自由端部側に配設されている。光を透過可能な動作透光部１５４ａは、動作透光カバー１５４の前面に前側へ向けて突設され、動作透光部１５４ａが、第１可動部材本体１１５に開設された動作透光部開口１１５ｂに嵌合して第１可動部材１１２の前側に露出するよう構成されている。実施例では、動作発光体１５２ａ、動作透光部１５４ａおよび動作透光部開口１１５ｂは、第２可動部材１３０の変位方向に並んで複数組(実施例では３組)設けられている。複数の動作透光部１５４ａは、第１位置にある第２可動部材１３０に全て隠されて(図５(ａ)参照)、第２可動部材１３０を第１位置から第２位置に向けて変位すると、第１可動部材１１２の自由端部側の動作透光部１５４ａから前側に順次露出し、第２可動部材１３０の第２位置で全ての動作透光部１５４ａがパチンコ機前側から視認可能となる。そして、動作発光体１５２ａは、第１可動部材１１２や第２可動部材１３０の動作または表示部１３ａの表示演出等に合わせて発光制御されて、少なくとも第２可動部材１３０が第２位置にあるタイミングで発光制御されるようになっている。
【００３８】
前記第１可動部材１１２には、第２収容空間１１２ａに区画保持部(ハーネス保持部)１５６が設けられ、この区画保持部１５６によって、動作スライダ１４６の変位領域と第２可動部材１３０の変位方向に延在するように取り回される動作発光手段１５２の動作ハーネス(ハーネス)１６０の挿通領域とが区画されるようになっている(図７または図８参照)。区画保持部１５６は、第１可動部材１１２の長手に沿って長尺な板状部材であって(図９または図１０参照)、第２収容空間１１２ａの上部を前後に仕切るように延在し、区画保持部１５６の後側を動作スライダ１４６がスライド変位するようになっている。動作ハーネス１６０は、第２収容空間１１２ａにおける第１可動部材１１２の自由端部側に配設された動作発光手段１５２の基板１５２ｂに一端が接続し、区画保持部１５６の前側を通って第１可動部材１１２の軸支端部側に挿通されている。動作ハーネス１６０は、動作ソレノイド１４０および動作リンク１４４の左側において第２収容空間１１２ａの外方に引き出され、動作モータ１２０や動作ソレノイド１４０等のハーネスと纏めて、動作ベース本体１０４の前側を通って前記上部中継基板１７０に接続されている。このように、動作演出装置１００では、区画保持部１５６によって第１可動部材１１２を取り回された動作ハーネス１６０と動作リンク機構１４２の動作スライダ１４６との干渉を回避できる。
【００３９】
前記動作演出装置１００は、動作ソレノイド保持部１５０から上方に延出形成された動作検出片１５１と、この動作検出片１５１を検出する動作検出センサ１６２とからなる動作検出手段を備えている(図６参照)。実施例では、動作検出センサ１６２として、検知溝を挟んで発光素子と受光素子を対向配置し、検出溝の通過する動作検出片１５１を非接触で検出するフォトセンサが採用されている。動作検出センサ１６２は、第１可動部材１１２の軸支端部側上方に位置して動作ベース本体１０４の前面に設置され、第１姿勢にある第１可動部材１１２の動作検出片１５１が検知溝に臨むよう構成され、動作検出センサ１６２によって動作検出片１５１が検出されることで、第１可動部材１１２が第１姿勢にあると判断される(図６(ａ)参照)。動作検出片１５１は、第１可動部材１１２が第１姿勢から動作することで、動作検出センサ１６２の検知溝から外れるようになっている(図６(ｂ)参照)。
【００４０】
前記動作演出装置１００は、第１可動部材１１２の第１姿勢で動作体１１０が前側に位置する可動演出装置２００によって隠されており(図２(ａ)参照)、動作モータ１２０を駆動して動作伝達機構１２４,１２６,１２８を介して第１可動部材１１２を下方へ揺動することで、表示部１３ａの前側に臨むと共に、第１可動部材１１２および第２可動部材１３０がパチンコ機前側から視認可能になる。第１可動部材１１２は、第２姿勢において表示部１３ａの右隅から中央部に亘って斜めに延在している(図２(ｂ)参照)。動作演出装置１００は、第１可動部材１１２の第２姿勢において、動作ソレノイド１４０を励磁して動作リンク機構１４２を介して作動することで、第２可動部材１３０が第１位置から第２位置に変位し、動作発光手段１５２の動作透光部１５４ａがパチンコ機前側に臨む。動作透光部１５４ａの前側から第２可動部材１３０が退避したタイミングで動作発光体１５２ａを発光制御することで、動作発光体１５２ａによって発光演出された動作透光部１５４ａが前側から視認可能になる(図４(ａ)参照)。動作演出装置１００は、第１可動部材１１２の第２姿勢において、動作ソレノイド１４０を消磁することで、コイルばね１４０ｂおよびスライダ弾性部材１４８に引っ張られて第２可動部材１３０が第２位置から第１位置に変位し、動作発光手段１５２の動作透光部１５４ａが隠れる。動作演出装置１００は、動作モータ１２０を駆動して動作伝達機構１２４,１２６,１２８を介して第１可動部材１１２を上方へ揺動して第２姿勢から第１姿勢に戻す。
【００４１】
このように、動作演出装置１００は、動作体１１０のベースとなる第１可動部材１１２に、該第１可動部材１１２と独立して動作可能な第２可動部材１３０を設けてあるので、第１可動部材１１２の揺動動作と第２可動部材１３０の往復動作を、夫々または組み合わせて行うことで、全体として複数の動作を行うことができ、動作体１１０の動作による演出効果を向上し得る。しかも、動作体１１０は、第１可動部材１１２および第２可動部材１３０の動作演出だけでなく、第２可動部材１３０の変位に伴って露出する動作発光手段１５２によって発光演出を行うことができるので、動作演出と発光演出とを複合させて演出効果をより向上することができる。また、動作演出装置１００は、第２可動部材１３０を動かす動作ソレノイド１４０を第１可動部材１１２に設けてあるが、動作ソレノイド１４０を第１可動部材１１２の自由端部側でなく動作ベース１０２への軸支端部側に配設しているので、第１可動部材１１２を動かす動作モータ１２０および動作伝達機構１２４,１２６,１２８への負荷を最小限に抑えることができる。
【００４２】
(可動演出装置)
図２〜図４に示すように、前記可動演出装置２００は、動作演出装置１００の前側に位置して、表示部１３ａの上側に配設されている。図１１〜図１６に示すように、可動演出装置２００は、動作演出装置１００の動作体１１０を収容可能な間隔をあけて動作ベース１０２の前側に設置される可動ベース２０２と、この可動ベース２０２に動作可能に支持され、表示部１３ａの前側から退避した待機位置(図１,図２(ａ)または図３参照)と表示部１３ａの前側に臨む動作位置(図２(ｂ)または図４(ａ)参照)との間で往復変位可能に配設された可動体２２０と、遊技盤２０側となる可動ベース２０２に設けられた可動モータ(駆動手段)２５０と、この可動モータ２５０により作動して可動体２２０を往復変位させる可動連係手段(連係手段)２５４とを備えている。また、可動ベース２０２には、後述する回転発光装置３００が設けられている。可動演出装置２００は、可動体２２０が待機位置で表示部１３ａの上側に位置して、回転発光装置３００の前側に重なって該回転発光装置３００を隠すようになっている(図２(ａ)参照)。可動演出装置２００は、可動体２２０が待機位置から下降した動作位置において、表示部１３ａの上部前側に重なる一方、可動ベース２０２に設けられた回転発光装置３００がパチンコ機前側に臨むようになっている(図２(ｂ)参照)。
【００４３】
前記可動ベース２０２は、左右方向中央部に前後方向に連通する発光装置開口２０４が設けられて、この発光装置開口２０４に回転発光装置３００が臨むように設置されている(図１１(ｂ)参照)。可動ベース２０２は、発光装置開口２０４から後側に突出する回転発光装置３００および第１姿勢において回転発光装置３００の下側に位置する前記動作演出装置１００の動作体１１０を、動作ベース１０２(動作ベース本体１０４)との間に収容可能な間隔をあけて、動作ベース１０２の前面に取り付けられている。可動ベース２０２は、透明な板状部材からなる可動ベース本体２０６と、この可動ベース本体２０６の前側に取り付けられた可動ベース意匠体２０８とから基本的に構成されている(図１５または図１６参照)。可動ベース意匠体２０８は、光を反射可能なメッキ等の鏡面加工が施された板状の飾りであって、発光装置開口２０４の周りを囲うように設けられる前面部分２０８ａと、この前面部分２０８ａの下端から後側へ延出し、可動ベース２０２の下面を構成する下面部分２０８ｂとを備えている。また、可動ベース意匠体２０８は、前面部分２０８ａから後側に延出するように形成され、発光装置開口２０４の内周面を構成する縁取部分２０８ｃを備えている。可動ベース２０２は、可動ベース意匠体２０８の前面部分２０８ａから延出する可動ベース本体２０６の左右の側端部に、ＬＥＤ等の発光体を前面に備えた上部装飾体発光手段２１８,２１８が夫々取り付けられ(図１１参照)、該装飾体発光手段２１８,２１８の前側に位置する枠状装飾体２８の上部発光部３０(図２または図３参照)を上部装飾体発光手段２１８,２１８によって発光演出するよう構成される。
【００４４】
前記可動体２２０は、表示部１３ａの上縁に沿って長手が延在し、表示部１３ａの左右寸法の２／３程度を占めるような比較的大型の役物であって、待機位置と動作位置との間で往復動されるだけでなく、内蔵の可動体発光手段２２２によって発光演出されるようになっている(図５または図１６参照)。可動体２２０は、前面および上下左右の外殻を構成する後側に開口する略トレイ形状の可動体外郭部２２４と、この可動体外郭部２２４の内側に後側から組み付けられ、光を透過可能な可動体光透過部２２６と、この可動体光透過部２２６の後側に設けられ、前面に設置されたＬＥＤ等の可動体発光体２２２ａによって可動体外殻部２２６の前面に設けられた可動体発光部２２４ａを発光させる可動体発光手段２２２と、可動体外殻部２２４の後部開口を塞ぐように組み付けられ、可動体２２０の後面を構成する可動体基部２２８とから構成されている。
【００４５】
前記可動体外殻部２２４は、光透過可能(実施例では有色透明)な合成樹脂製の素地に、光を透過不能な加工を施して構成されている。可動体外殻部２２４は、前面がパチンコ機１０のモチーフに合わせたデザインで素地を残して光透過不能な加工を施すことで当該素地部分からなる可動体発光部２２４ａが形成されると共に、上下左右の外周面全体が光透過不能な加工が施されて、可動体発光体２２２ａの光が外周面から漏れないようになっている。ここで、実施例では、可動体外殻部２２４の光透過不能な加工として、めっき等の光反射可能な加工が選択され、可動体発光体２２２ａによって発光演出される可動体発光部２２４ａの周りが装飾されている。
【００４６】
前記可動体２２０には、可動連係手段２５４に連結して該可動連係手段２５４の作動が夫々伝達される一対の可動体連係部２４０,２４０が、可動ベース２０２に臨む後面において待機位置と動作位置との変位方向と直交する方向(実施例では左右方向)に離間して設けられている(図１４参照)。ここで、一対の可動体連係部２４０,２４０は、可動体２２０の左右方向中央を挟んで対称な関係で配置されている。各可動体連係部２４０は、可動体２２０の往復動方向に延在するよう形成された連係ラック２４２と、この連係ラック２４２の下端部(動作位置側の端部)に前側へ突出形成され、可動体基部２２８の後面に接続される連係接続片２４４とを備え、可動体連係部２４０は全体として側面視で略Ｌ字形状になっている(図１４(ｂ参照))。連係ラック２４２の後面における左右方向の中間部には、上下に並べて歯２４２ａが設けられ(図１４(ａ)参照)、この歯２４２ａが可動連係手段２５４の後述する連係ピニオン２５６,２５８に噛み合うようになっている。なお、連係接続片２４４は、可動体基部２２８の下部に接続される。可動ベース２０２には、可動ベース本体２０６の後側に取り付けられた連係収容カバー２１０と該可動ベース本体２０６との間に上下に連通するように連係ガイド部２１２が設けられ、連係ラック２４２は連係ガイド部２１２に上下方向(往復動方向)に変位可能に保持されている。可動ベース２０２には、左右の可動体連係部２４０,２４０の連係ラック２４２,２４２に対応して、発光装置開口２０４の左右に連係ガイド部２１２,２１２が夫々設けられている(図１５参照)。
【００４７】
前記可動モータ２５０は、連係収容カバー２１０の左側下部に後側へ延出するように設けられたモータ設置壁部２１０ａに出力軸を右方へ向けた姿勢で設置されている(図１２および図１３参照)。可動モータ２５０は、左側の連係ガイド部２１２の左側方に配置されて、出力軸の先端に固定された可動ピニオン２５２が左側の連係ガイド部２１２の後側に配置されている。図１３に示すように、可動連係手段２５４は、左側の連係ガイド部２１２の後側に臨むように設けられ、可動ピニオン２５２に噛み合うと共に左側の連係ガイド部２１２に保持された左側の連係ラック２４２の歯２４２ａに噛み合う第１連係ピニオン２５６と、右側の連係ガイド部２１２の後側に臨むように設けられ、右側の連係ラック２４２の歯２４２ａに噛み合う第２連係ピニオン２５８と、第１連係ピニオン２５６および第２連係ピニオン２５８を繋ぐ連係シャフト２６０とを備えている。連係シャフト２６０は、発光装置開口２０４の下側に位置して左右の連係ガイド部２１２,２１２の間において左右方向に延在するように設けられ、可動ベース本体２０６の後面に回転可能に保持されている。そして、連係シャフト２６０の左端部には、第１連係ピニオン２５６が固定され、連係シャフト２６０の右端部には、第２連係ピニオン２５８が固定されている。すなわち、可動連係手段２５４は、可動モータ２５０の駆動による可動ピニオン２５２の回転に伴って第１連係ピニオン２５６が回転されると、連係シャフト２６０を介して第２連係ピニオン２５８も連動して回転されるよう構成されている。このように、可動演出装置２００は、１つの可動モータ２５０の駆動を可動連係手段２５４によって２つに振り分けて一対の可動体連係部２４０,２４０を同期して作動することで、一対の可動体連係部２４０,２４０で支持された可動体２２０を往復動するようになっている。
【００４８】
前記連係ガイド部２１２は、連係ラック２４２における左右の側縁部の夫々を前後に挟む壁部と該連係ラック２４２を左右に挟む壁部とを有するＴ溝状に形成されており、連係ラック２４２の上下方向の変位を許容しつつ、これらの壁部によって前後左右の変位を規制するように構成されている。可動ベース２０２は、可動ベース本体２０６および可動ベース意匠体２０８において左右の連係ガイド部２１２,２１２の下部に対応する部位が夫々切り欠かれてベース切欠部２０２ａ,２０２ａが設けられており(図１１(ｂ)または(ｃ)参照)、このベース切欠部２０２に可動体連係部２４０の連係接続片２４４が挿通するようになっている。そして、可動体２２０は、一対の可動体連係部２４０,２４０が対応の連係ガイド部２１２,２１２に保持されて、可動ベース２０６の前面に対して後面が平行な関係を保った状態で往復動するよう構成されている。また、可動体２２０は、待機位置で下縁が可動ベース２０２の下縁と揃うと共に、発光装置開口２０４の前側を塞ぐように位置している。可動体２２０は、動作位置で発光装置開口２０４の前側から下方へ退避して該発光装置開口２０４の前側を開放すると共に、該可動体２２０の上部が可動ベース２０２の下部前側に重なっている。
【００４９】
前記可動演出装置２００は、可動体２２０を円滑に動かすためのガイド手段２７０,２７６を備えている(図１２参照)。ガイド手段は、可動体２２０および該可動体２２０を支持する可動ベース２０２(遊技盤２０側)の何れか一方に設けられ、可動体２２０および可動ベース２０２の何れか他方に向けて突出すると共に可動体２２０の変位方向に延在するよう形成された凸状部２７０と、可動体２２０および可動ベース２０２の何れか他方に凸状部２７０と係合可能に設けられた凹状部２７６とから構成されている。凹状部２７６は、可動体２２０の往復変位に伴う凸状部２７０の凹状部２７６に対する相対的な移動を許容する一方、該凸状部２７０との係合により該可動体２２０の左右(可動体２２０の往復動方向と直交する横方向)の移動を規制するようになっている。実施例では、可動体２２０において可動ベース２０２に相対する後面を構成する可動体基部２２８に凸状部２７０が設けられ(図１４参照)、可動ベース２０２の前面下部に設置されたガイド受部２７４に凹状部２７６が設けられている(図１１(ｃ)参照)。凸状部２７０および凹状部２７６からなるガイド手段は、一対の可動体連係部２４０,２４０の離間方向(左右方向)中央を挟んで対称な関係で複数組(実施例では２組)設けられている。
【００５０】
前記可動体２２０の後面には、一対の可動体連係部２４０,２４０の間に位置して、上下方向に延在する２条の凸状部２７０,２７０が左右対称な位置関係で設けられ、各凸状部２７０が可動体２２０の上下の略全長に亘って延在している。各凸状部２７０は、可動体基部２２８の後面から後側(可動ベース２０２側)へ突出するよう形成され、該可動体基部２２８の後面からの突出寸法が可動体連係部２４０の連係接続片２４４より小さく設定されている。
【００５１】
前記凹状部２７６は、発光装置開口２０４の下方に設置されたガイド受部２７４に設けられている(図１１(ｃ)参照)。ガイド受部２７４は、可動ベース２０２の前面から前側に突出すると共に左右方向に延在するよう形成されており、可動体２２０の待機位置および動作位置の何れにおいても該可動体２２０の後側に位置するよう配置されて、該ガイド受部２７４は前側に位置する可動体２２０で常に隠されている。ガイド受部２７４には、左右方向(一対の可動体連係部２４０,２４０の離間方向)に離間して、可動体２２０の２条の凸状部２７０,２７０と夫々組をなす２ヵ所の凹状部２７６,２７６が設けられている。ここで、２ヵ所の凹状部２７６,２７６は、左右方向(一対の可動体連係部２４０,２４０の離間方向)中央を挟んで対称な位置関係で配置されている。各凹状部２７６は、ガイド受部２７４の前面から前側へ向けて夫々突出形成された一対の規制片２７８,２７８を、凸状部２７０の左右幅と同じまたは該左右幅より僅かに大きい間隔で左右方向に対向配置することで、前側(可動体２２０側)に開放する溝状に形成されている(図１２(ｃ)参照)。各ガイド手段は、凸状部２７０の可動体基部２２８後面からの突出寸法と、規制片２７８,２７８のガイド受部２７４前面からの突出寸法とが、同一または略同一に設定されている。すなわち、ガイド手段は、凹状部２７６に挿入した凸状部２７０の後端がガイド受部２７４の前面に当接したり、凹状部２７６における規制片２７８,２７８の前端が可動体２２０における可動体基部２２８後面に当接することで、可動体２２０の可動体ベース２０２に対する姿勢を保つようになっている。
【００５２】
前記可動演出装置２００は、１つの可動モータ２５０の駆動により可動連係手段２５４の左右の連係ピニオン２５６,２５８を連係シャフト２６０を介して同期して作動することで、左右の可動体連係部２４０を介して可動体２２０を上下に往復動することができる。ここで、可動演出装置２００は、可動モータ２５０のピニオン２５２に直接連結された第１連係ピニオン２５６と、この第１連係ピニオン２５６に連係シャフト２６０を介して繋がる第２可動連係ピニオン２５８との間で、ピンオン２５２,２５６,２５８の噛み合い誤差や可動モータ２５０と連係ラック２４２,２４２との間に介在するピンオン数の相違等に起因して、左右の連係ラック２４２,２４２において僅かに作動タイミングがずれることがある。しかしながら、可動演出装置２００は、凸状部２７０と凹状部２７６との係合によって、可動体２２０の左右の移動を規制されているので、可動体２２０の傾きやブレを防止することができる。従って、可動体２２０が傾くことやがたつくことに起因する可動モータ２５０や可動連係手段２５４への過負荷を防止し得ると共に、可動体２２０を適切な姿勢を保ったまま安定してかつ円滑に動作させ得る。しかも、凸状部２７０と凹状部２７６とからなるガイド手段は、可動連係手段２５４に接続される一対の可動体連係部２４０,２４０の離間方向に対称な関係でバランスよく設けられているので、可動体２２０の傾きやブレをより適切に防止できる。可動演出装置２００は、可動体２２０が待機位置から動作位置に向かうにつれて連係ラック２４２が連係ガイド部２１２から抜け出る構成であるが、凸状部２７０をガイド受部２７４に当接すると共に凹状部２７６を構成する規制片２７８,２７８を可動体基部２２８の後面に当接させることで、可動体２２０の可動ベース２０２に対する姿勢を保つことができる。
【００５３】
各凸状部２７０における可動体２２０の往復変位方向の少なくとも一方の端部には、該凸状部２７０よりも大きく後側(凹状部２７６側)に向けて突出する抜止凸部２７２が設けられ(図１４参照)、凹状部２７６に設けられた抜止壁部２８０に該抜止凸部２７２が移動規制されるようになっている(図１６(ｂ)参照)。ここで、凸状部２７０における可動体２２０の待機位置側の端部(実施例では上端部)に設けた抜止凸部２７２は、可動体２２０の動作位置で抜止壁部２８０によって該動作位置を越えた下降を規制するよう構成される。これに対して、凸状部２７０における可動体２２０の動作位置側の端部(実施例では下端部)に設けた抜止凸部２７２は、可動体２２０の待機位置で抜止壁部２８０によって該待機位置を越えた上昇を規制するよう構成される。抜止凸部２７２は、凸状部２７０より左右の幅が大きく設定されて、凸状部２７０の側面から左右方向の夫々に延出するように形成されており、抜止凸部２７２は、可動体２２０の動作に伴って進路上にあるガイド受部２７４および凹状部２７６を構成する一対の規制片２７８,２７８に引っ掛かるように構成される。すなわち、実施例の抜止壁部２８０は、ガイド受部２７４および凹状部２７６を構成する一対の規制片２７８,２７８において可動体２２０の動作に伴う抜止凸部２７２の進路上に位置する部位で構成されている。ここで、凸状部２７０における可動体２２０の待機位置側の端部(実施例では上端部)に設けた抜止凸部２７２に対応する抜止壁部２８０は、ガイド受部２７４および一対の規制片２７８,２７８の待機位置側の面(上面)となり、凸状部２７０における可動体２２０の動作位置側の端部(実施例では下端部)に設けた抜止凸部２７２に対応する抜止壁部２８０は、ガイド受部２７４および一対の規制片２７８,２７８の動作位置側の面(下面)となる。
【００５４】
実施例では、抜止凸部２７２が凸状部２７０における待機位置側の端部だけに設けられており、可動体２２０の動作位置で抜止凸部２７２がガイド受部２７４および一対の規制片２７８,２７８の上面で構成される抜止壁部２８０に引っ掛かることで、可動体２２０の動作位置を越えた下降を規制するようになっている。このように、実施例のガイド手段によれば、可動体２２０の変位範囲を抜止壁部２８０による抜止凸部２７２の移動規制によって規定することができる。
【００５５】
前記可動演出装置２００では、可動ベース２０２(遊技盤２０側)に設けられた可動中継基板(図示せず)と可動体２２０に内蔵された可動体発光手段２２２との間が、複数の配線を並べて樹脂被膜で覆った帯形状のフラットケーブル２８４を用いて接続されている(図１６参照)。可動中継基板は、発光装置開口２０４の下側でかつ一対の連係ガイド部２１２,２１２の間に位置して、可動ベース２０２における可動ベース本体２０６の後面に取り付けられている。また、可動中継基板は、一対の連係ガイド部２４０,２４０の間において、一方(実施例では左側)の連係ガイド部２４０側に偏倚した位置にあり、可動ベース本体２０６および可動ベース意匠体２０８に開設された中継基板開口２０２ｂ(図)１１(ｃ)参照)を介して該可動中継基板の前面に設けられた中継基板前部ソケットが可動ベース２０２の前側に臨んでいる。中継基板開口２０２ｂは、左側の連係ガイド部２１２とガイド受部２７４との間に開設され、可動体２２０の待機位置および動作位置の何れの位置においても、前側に位置する可動体２２０によっておおよそ隠されるようになっている。下方に向けて開口する中継基板前部ソケットに接続されたフラットケーブル２８４は、中継基板開口２０２ｂに左右方向に延在するケーブル保持片２０５によって上方に折り返した後に該中継基板開口２０２ｂを介して前側へ引き出される。
【００５６】
前記可動体２２０は、可動体発光手段２２２の後面下部に設けられた可動体ソケット２２２ｂに対応して可動体基部２２８の下部に開設されたケーブル開口２２８ａと、可動ベース２０２からのフラットケーブル２８４の引き出し位置に対応して、可動体２２０の上下方向(往復動作方向)に延在する一対のケーブル規制壁片２３０,２３０とをを備えている(図１４(ａ)参照)。各ケーブル規制壁片２３０は、可動体基部２２８の後面から後側へ向けて突出するよう形成され、該可動体基部２２８の上部からケーブル開口２２８ａの上縁に亘って該ケーブル規制壁片２３０が延在している。また、一対のケーブル規制壁片２３０,２３０は、中継基板開口２０２ｂに対応する側となる左側の凸状部２７０と左側の可動体連係部２４０との間に設けられている。中継基板開口２０２ｂから可動ベース２０２の前側に引き出されたフラットケーブル２８４は、可動ベース２０２と可動体２２０の間で下方に向けて曲げられて、一対のケーブル規制壁片２３０,２３０の間を上下に通って、ケーブル開口２２８ａを介して上方に開口している可動体ソケット２２２ｂに接続される。なお、フラットケーブル２８４は、ケーブル開口２２８ａに上側に取り付けられたケーブル保持板２３２で可動体基部２２８との間に挟まれている。可動演出装置２００では、可動体２２０の待機位置で中継基板開口２０２ｂとケーブル開口２２８ａとが向かい合い、可動体２２０が待機位置から動作位置に向けて変位すると、一対のケーブル規制壁片２３０,２３０の間に中継基板開口２０２ｂが臨むようになっている。
【００５７】
前記フラットケーブル２８４は、可動ベース２０２と可動体２２０との間で折り返されて可動体２２０に沿って取り回された部分が、一対のケーブル規制壁片２３０,２３０によって左右の変位が規制されて位置決めされている。これにより、フラットケーブル２８４が、可動体２２０の変位に際して他の部材に干渉することが回避され、可動体２２０をスムーズに動作させることができる。また、フラットケーブル２８４は、可動体２２０の往復動に伴って中継基板開口２０２ｂおよびケーブル開口２２８ａの上側に位置する折り返し部分が変位し、可動体２２０の後側に隠れるようになっている(図１４参照)。
【００５８】
(回転発光装置)
図１１(ｂ)に示すように、前記回転発光装置３００は、反射鏡が回転することで発光の向きが変わる回転灯を模した演出装置であって、可動発光装置２００の可動ベース２０２に設置されている。図１７〜図２１に示すように、回転発光装置３００は、構成部材の設置基盤となる回転灯ベース３０２と、上方(所定方向)に光を照射する第１回転灯発光体(第１発光体)３２０と、この第１回転灯発光体３２０の周りを回転し、前述した前記反射鏡に対応する回転部材３２４と、この回転部材３２４を覆うように設けられ、光を透過可能な回転灯カバー部材(カバー部材)３３０と、この回転灯カバー部材３３０の壁面を照らす第２回転灯発光体(第２発光体)３４０とを備えている。また、回転発光装置３００は、回転部材３２４を作動伝達手段３５４を介して動かす作動モータ(作動手段)３５０と、回転灯カバー部材３３０の周りを囲う回転灯外周部材３７０とを備えている。回転発光装置３００は、第１回転灯発光体３２０、回転部材３２４、回転灯カバー部材３３０、第２回転灯発光体３４０、作動モータ３５０、作動伝達手段３５４よび回転灯外周部材３７０が、回転灯ベース３０２に何れも設置されており、この回転灯ベース３０２を介して一体的なユニットとして取り扱い可能になっている。
【００５９】
前記回転灯ベース３０２は、上方に開口する略トレイ形状の回転灯ベース本体３０４と、この回転灯ベース本体３０４の上部開口を塞ぐように該回転灯ベース本体３０４に取り付けられる回転灯ベース蓋体３０６とから構成されている(図２１参照)。回転灯ベース３０２は、作動伝達手段３５４(図２０参照)を構成する作動歯車３５６,３６０を設置する収納空間３０２ａを内部に備えた箱状に構成され、上下幅が前後および左右幅と比べて薄く形成されている。回転灯ベース３０２には、回転灯ベース本体３０４の底部に上方に開口するように第１発光体設置部３０４ａが凹設されて、この第１発光体設置部３０４ａに対向させて回転灯ベース蓋体３０６に上下に連通する円形の第１発光体開口３０８が設けられている(図１９または図２０参照)。第１発光体設置部３０４ａは、平面視で円形に形成されており、第１発光体開口３０８が、第１発光体設置部３０４ａの上部開口と同心に形成されると共に第１発光体設置部３０４ａの上部開口より一回り大きく形成されている。回転灯ベース３０２は、第１発光体開口３０８(第１発光体設置部３０４ａ)の前側部分(区別する場合はベース湾曲部３０２ｂという)が、該第１発光体開口３０８における前側の半円におおよそ合わせて前側に凸になる円弧状に形成されている。回転灯ベース本体３０４および回転灯ベース蓋体３０６は、透明な合成樹脂製の素地に対して回転灯ベース３０２の外面となる面に光を反射し得るめっき等の鏡面加工を施すことで、全面で光を反射可能に構成されている。
【００６０】
実施例の第１回転灯発光体３２０は、１個のＬＥＤからなり、第１発光体設置部３０４ａに収容固定される略円形の基板３２０ａの上面に設置されている(図２０参照)。 第１回転灯発光体３２０は、第１発光体設置部３０４ａおよび第１発光体開口３０８の中心に位置し、先端部が回転灯ベース３０２の収納空間３０２ａに第１発光体設置部３０４ａから突出している(図１９参照)。そして、第１回転灯発光体３２０は、第１発光体開口３０８を介して上方へ向けて光を照射するようになっている。
【００６１】
図２１に示すように、前記回転部材３２４は、中央に基部開口３２５ａが開設された円盤形状の回転基部３２５と、基部開口３２５ａを介して上方へ照射される第１回転灯発光体３２０の光照射方向(上方)に沿って垂直に延在するよう回転基部３２５に立設された第１反射部３２６と、この第１反射部３２６に対して交差方向に屈曲するように連設されて第１回転灯発光体３２０の光照射方向前側(上方)に延在する第２反射部３２７とを備えている。第１反射部３２６は、回転基部３２５における基部開口３２５ａの開口縁に立設されており、第２反射部３２７の後述する反射鏡面３２７ａがパチンコ機前側を向いた基準状態で基部開口３２５ａの開口寸法より左右幅が大きく設定されている。第１反射部３２６は、基準状態で第１回転灯発光体３２０の光軸より後側に位置して、左右方向に直線的に延在するよう形成されている。第２反射部３２７は、前記基準状態でパチンコ機後側から前側に向かうにつれて上方傾斜するよう形成されて、基部開口３２５ａの上側に庇状に差し掛かった第２反射部３２７によって基部開口３２５ａの上側が覆われている。すなわち、回転部材３２４は、第１反射部３２６および第２反射部３２７が前記基準状態の側面視で基部開口３２５ａ側を内角とする「く」の字に屈曲形成されており(図１９参照)、第１反射部３２６と第２反射部３２７とがなす外角が４５°程度(内角は、略１３５°)に設定されている。回転部材３２４には、第１反射部３２６の両側縁に基部開口３２５ａ側に延出する側部反射部３２８が、回転基部３２５から第２反射部３２７に亘って夫々設けられている(図１８(ｃ)または(ｄ)参照)。回転部材３２４は、向かい合う一対の側部反射部３２８,３２８の突端を結んだラインより外側に第１回転灯発光体３２０の光軸が通るように、側部反射部３２８の第１反射部３２６からの突出寸法が設定されている。このように、回転部材３２４は、第１反射部３２６が第１回転灯発光体３２０の光照射方向に沿って延在するように構成されているので、該回転部材３２４の回転時に反射鏡面３２７ａが右方または左方に指向した状態において第１反射部３２６が第１回転灯発光体３２０の前側に重ならず、該第１発射部３２６で第１回転灯発光体３２０の光を隠す期間を短くすることができる。また、回転部材３２４には、側部反射部３２８が設けられているので、該回転部材３２４の基準状態において一対の側部反射部３２８,３２８によって第１回転灯発光体３２０から照射した光の反射効率を高めることができる。そして、回転部材３２４は、該回転部材３２４の回転時に反射鏡面３２７ａが右方または左方に指向した状態において側部反射部３２８が第１回転灯発光体３２０の前側に重ならないので、回転部材３２４で第１回転灯発光体３２０の光を隠す期間を短くすることができる。
【００６２】
前記回転部材３２４は、第１回転灯発光体３２０の光照射方向前側となる上側に延在して該第１回転灯発光体３２０の光を該光照射方向と交差する方向(水平方向)へ反射する反射鏡面(反射面)３２７ａを第２反射部３２７に有している(図１９参照)。第２反射鏡面３２７ａは、第２反射部３２７において第１反射部３２６との間で前記「く」の字の内角をなす面であって、第１回転灯発光体３２０の光照射方向と交差するように傾斜している。すなわち、反射鏡面３２７ａと第１回転灯発光体３２０の光軸とのなす内角が、略１３５°に設定されている。そして、回転部材３２４は、作動モータ３５０によって第１回転灯発光体３２０の光照射方向に沿って延在する回転軸線を中心に回転されて、第１反射部３２６が該第１回転灯発光体３２０の光軸の周囲を回ると共に、第２反射部３２７の反射鏡面３２７ａの指向する向きが変わるよう構成されている。ここで、図１８(ｂ)〜(ｄ)または図１９に示すように、第２反射鏡面３２７ａがパチンコ機前側に指向し、第１回転灯発光体３２０の光をパチンコ機前側へ反射し得る状態を基準状態とする。なお、実施例の回転部材３２４には、全面に光を反射可能な鏡面加工が施されており、第２反射部３２７において基部開口３２５ａに相対する面に設けられた反射鏡面３２７ａだけでなく、全面で光を反射し得るようになっている。
【００６３】
前記回転部材３２４を回転する機構は、ステッピングモータ等の作動モータ３５０と、この作動モータ３５０の駆動を回転部材３２４に伝達する作動伝達手段３５４とから構成されている(図２０または図２１参照)。作動モータ３５０は、回転灯ベース３０２における回転灯ベース蓋体３０６の上面に出力軸を下に向けた姿勢で設置され、回転灯ベース３０２の収納空間３０２ａに臨む出力軸の先端に作動ピニオン３５２が固定されている。なお、作動モータ３５０は、回転灯ベース３０２の右側部に位置して回転灯外周部材３７０の外側に設置されている。作動伝達手段３５４は、回転灯ベース３０２の収納空間３０２に回転可能に配設され、作動ピニオン３５２に噛み合う第１作動歯車３５６と、該収納空間３０２に回転可能に配設され、第１作動歯車３５６に噛み合う第２作動歯車３６０とを備えている。第１作動歯車３５６は、回転灯ベース蓋体３０６に固定された回転軸３５８に軸支されると共に、下面中央部に下方へ突設された軸ボス(図示せず)を、回転灯ベース本体３０４の底部に貫通形成されたボス受開口３０４ｂに挿入して前後左右方向に位置決めされている。また、第１作動歯車３５６は、回転灯ベース本体３０４の底部と回転灯ベース蓋体３０６とに上下から挟まれて、上下方向にぶれないようになっている。第１作動歯車３５６は、上面および下面の夫々に、回転軸線を囲んで円形に延在する摺接リブ３５６ａが突設され、筋状の摺接リブ３５６ａの先端が対応の回転灯ベース本体３０４または回転灯ベース蓋体３０６に当接するように構成されている。すなわち、作動伝達手段３５４は、第１作動歯車３５６を回転灯ベース本体３０４または回転灯ベース蓋体３０６に対して筋状の摺接リブ３５６ａが当接する構成とすることで、第１作動歯車３５６と回転灯ベース本体３０４とを面で互いに当接する場合と比べて摺接負荷を軽減して、該第１作動歯車３５６を円滑に回転させることができる。
【００６４】
前記第２作動歯車３６０は、第１発光体開口３０８の中心と同軸的に設けられて、第１発光体開口３０８を介して上側に臨む上面に回転部材３２４の回転基部３２５が設置されている(図２１参照)。第２作動歯車３６０には、中央部に第１発光体開口３０８および基部開口３２５ａと同心の歯車開口３６２が開設され、第１発光体開口３０８、歯車開口３６２および基部開口３２５ａによって、第１回転灯発光体３２０の上方(光照射方向前側)が開放されている。第２作動歯車３６０は、第１発光体開口３０８に整合する円形の外周形状に形成された段状部３６４と、この段状部３６４より径方向外側に一回り大きく形成されて、第１作動歯車３５６に噛み合う歯が外周に設けられた歯車部３６６とを備え、段状部３６４の下側に歯車部３６６が配置されている(図１９参照)。第２作動歯車３６０は、段状部３６４を第１発光体開口３０８に嵌め合わせると共に、回転灯ベース本体３０４の底部と回転灯ベース蓋体３０６とで歯車部３６６を上下から挟むことで、回転灯ベース３０２の収納空間３０２に回転可能に保持されている。すなわち、第２作動歯車３６０は、段状部３６４が第１発光体開口３０８に係止されて前後左右方向に位置決めされ、回転灯ベース本体３０４の底部と回転灯ベース蓋体３０６とに歯車部３６６が上下から挟まれて、上下方向にぶれないようになっている。第２作動歯車３６０は、下面に回転軸線を囲んで円形に延在する摺接突条３６０ａが突設され(図１９(ａ)参照)、筋状の摺接突条３６０ａの先端が回転灯ベース本体３０４の底部に当接するように構成されている。なお、摺接突条３６０ａは、第１発光体設置部３０４ａの上部開口より大径に形成されている。すなわち、作動伝達手段３５４は、回転灯ベース本体３０４に対して筋状の摺接突条３６０ａが当接する構成とすることで、第２作動歯車３６０と回転灯ベース本体３０４とを面で互いに当接する場合と比べて摺接負荷を軽減して、第２作動歯車３６０を円滑に回転させることができる。
【００６５】
前記回転灯カバー部材３３０は、光を透過可能に構成されており、実施例では有色透明になっている。回転灯カバー部材３３０は、回転部材３２４の回転に伴う反射鏡面３２７ａによる第１回転灯発光体３２０の光の反射方向前側を少なくとも覆うように設けられている。実施例の回転灯カバー部材３３０は、回転部材３２４の反射鏡面による反射方向前側となる前後左右を囲うのに加えて、回転部材３２４の上方も覆うように構成されている(図１８(ａ)参照)。回転灯カバー部材３３０は、下方に開放した半球を該半球の破断した面と直交する面で更に半分にした器形状に形成されており、下部開口を回転灯ベース３０２で塞ぐように該回転灯ベース３０２の上面に設置されている。そして、回転灯カバー部材３３０は、遊技盤２０の前側に臨む面を構成する意匠壁部３３２が略球面状に湾曲する一方、後面を構成する後壁部３３４が回転灯ベース３０２の上面に対して略垂直に立設されている。すなわち、回転灯カバー部材３３０の後壁部３３４は、第１回転灯発光体３２０の光照射方向に沿って延在している(図１９参照)。また、回転灯カバー部材３３０は、意匠壁部３３２の下端部に設けられた袴部３３２ａが、回転灯ベース３０２のベース湾曲部３０２ｂの前側を覆うようになっている。
【００６６】
前記回転発光装置３００は、第１回転灯発光体３２０と同じ方向に光を照射して、第１回転灯発光体３２０の光照射方向に沿って延在する回転灯カバー部材３３０の後壁部(壁面)３３４を照らす第２回転灯発光体(第２発光体)３４０を備えている(図２１参照)。なお、第２回転灯発光体３４０の光照射方向が第１回転灯発光体３２０の光照射方向と同じ方向であるとは、厳密に方向が一致する場合だけでなく、回転発光装置３００内で第１回転灯発光体３２０の光軸と第２回転灯発光体３４０の光軸とが交差しない程度の並行関係も含む。回転発光装置３００では、回転部材３２４の回転軸線を挟む左右両側の夫々に第２回転灯発光体３４０,３４０が設けられ、各第２回転灯発光体３４０は、回転部材３２４とパチンコ機前後方向に重ならないように配置されている(図１８(ｂ)参照)。実施例では、一対の第２回転灯発光体３４０,３４０が左右方向に離間して回転灯ベース３０２に設置され、回転部材３２４の右側方にずらして配置された右側の第２回転灯発光体(区別する場合は、右部第２回転灯発光体３４０Ａという)と、回転部材３２４の左側方にずらして配置された左側の第２回転灯発光体(区別する場合は、左部第２回転灯発光体３４０Ｂという)とを備えている。第２回転灯発光体３４０は、回転灯ベース蓋体３０６の下面に取り付けられた基板３４０ａの上面に設置され、回転灯ベース蓋体３０６に上下に貫通するように開設された第２発光体開口３１０を介して上方に臨むようになっている(図２１参照)。第２回転灯発光体３４０は、回転灯カバー部材３３０で囲まれる領域の外側に臨むように設けられており(図１８(ａ)参照)、回転灯カバー部材３３０の後壁部３３４を外側から照明するようになっている。より具体的には、第２回転灯発光体３４０は、回転灯カバー部材３３０の後壁部３３４の後側で、かつ後壁部３３４の後側に延在する回転灯外周部材３７０の後壁の前側に位置し、後壁部３３４と回転灯外周部材３７０との間に開設された第２発光体開口３１０を介して回転灯カバー部材３３０の後壁部３３４を照らすよう構成されている(図１９参照)。
【００６７】
前記回転灯外周部材３７０は、前側および下側が開放する一方、後側が閉塞したドーム状に形成され、回転灯カバー部材３３０の後側、該回転灯カバー部材３３０の左右および上側の後部領域を囲っている(図１７参照)。すなわち、回転発光装置３００は、回転灯カバー部材３３０における意匠壁部３３２の前部が回転灯外周部材３７０の前端から前側に突出している。回転灯外周部材３７０は、全面に光を反射し得るめっき等の反射加工が施されており、外面全体で光を反射可能に構成されている。回転灯外周部材３７０は、左右の側面前部に下方に延出形成された鉤状部３７２,３７２を、回転灯ベース３０２の前部に設けられた係止片３１２,３１２に夫々引っ掛けると共に、後部に後側に向けて突出形成した固定ボス３７４,３７４を、回転灯ベース３０２の上面に突設された固定ボス受部３１４,３１４に整合させてネジ止め固定される(図１７(ｂ)または(ｃ)参照)。係止片３１２は、回転灯ベース３０２の側面に突設されて、鉤状部３７２の後側に開放した溝部分に係止片３１２を挿通して引っ掛けるようになっている。そして、回転発光装置３００では、回転灯ベース３０２における回転灯ベース蓋体３０６の上面に突き当てた回転灯外周部材３７０の下端面と、回転灯ベース本体３０４に設けた係止片３１２を引っ掛けた鉤状部３７２とによって、回転灯ベース３０２が上下から挟まれている。
【００６８】
前記回転発光装置３００は、第２回転灯発光体３４０を挟んで回転灯カバー部材３３０に対向するように設けられた補助反射部３１０,３７６によって、第２回転灯発光体３４０から照射した光を回転灯カバー部材３３０に向けて反射するよう構成されている。前述の如く、第２回転灯発光体３４０は、回転灯カバー部材３３０の後側に配置されると共に、補助反射部３１０,３７６が第２回転灯発光体３４０の後側に設けられ、補助反射部３１０,３７６は、第２回転灯発光体３４０から照射された光を前側へ反射するよう構成されている。実施例では、第２回転灯カバー部材３３０の後側および第２回転灯発光体３４０に位置している回転灯外周部材３７０の後壁面３７６が補助反射部として機能している。また、実施例では、第２発光体開口３１０の開口面が光を反射可能に構成されて、当該開口面における回転灯カバー部材３３０の後壁部３３４に向いている部分についても、補助反射部として機能するようになっている。
【００６９】
前記回転発光装置３００は、発光装置開口２０４の後側から可動ベース２０２に取り付けられており、発光装置開口２０４の上縁および左右の側縁と回転灯外周部材３７０の上縁および左右の側縁が整合し、発光装置開口２０４の上縁および左右の側縁から回転灯外周部材３７０の内面が連なって光を反射可能な鏡面が連続的に設けられている。また、回転発光装置３００は、ベース湾曲部３０２ｂおよび回転灯カバー部材３３０の前部が発光装置開口２０４の内側に挿入されて、発光装置開口２０４を介して回転灯カバー部材３３０が前側に臨むようになっている。すなわち、回転発光装置３００は、待機位置にある可動体２２０によって隠されて前側から見えず(図２(ａ)参照)、可動体２２０が動作位置になることで、回転灯カバー部材３３０がパチンコ機前側に臨むよう構成されている(図２(ｂ)参照)。なお、回転灯ベース３０２の右側部に設けられた作動モータ３５０は、可動ベース２０２の後側に隠される。
【００７０】
前記回転発光装置３００は、第１回転灯発光体３２０を点灯すると共に、作動モータ３５０によって作動伝達手段３５４を介して回転部材３２４を回転することで、反射鏡面３２７ａで反射される第１回転灯発光体３２０の光の向きが回転するように変位し、回転灯のような発光演出がされる。ここで、回転発光装置３００は、第２回転灯発光体３４０,３４０を点灯することで、回転灯カバー部材３３０の後壁部３３４を照明することができ、回転部材３２４の反射鏡面３２７ａによる第１回転灯発光体３２０の反射光と複合させて、全体として発光演出を強調することができる。すなわち、回転発光装置３００では、回転部材３２４の反射鏡面３２７ａに光を照射する第１回転灯発光体３２０の数を増やすことなく、第２回転灯発光体３４０によって発光演出を強調することができる。従って、反射鏡面３２７ａの大型化を招くことなく、コンパクトな回転発光装置３００によって効果的な発光演出を行い得る。しかも、第２回転灯発光体３４０は、回転部材３２４の反射鏡面３２７ａではなく、回転部材３２４を覆う回転灯カバー部材３３０を照らす構成であるので、回転部材３２４を回転する作動モータ３５０や作動伝達手段３５４から離して配置することができ、スペースの制約を受け難い。
【００７１】
前記回転発光装置３００は、第２回転灯発光体３４０が回転部材３２４と前後方向に重ならないように配置されているので、第２回転灯発光体３４０で照らされる回転灯カバー部材３３０の後壁部３３４が回転部材３２４によって隠されず、第２回転灯発光体３４０の照明による発光演出を適切に享受し得る。そして、第２回転灯発光体３４０から照射された光は、補助反射部となる第２発光体開口３１０の開口面によって後壁部３３４に向けて反射されると共に、同じく補助反射部となる回転灯外周部材３７０の後壁面３７６によって後壁部３３４に向けて反射される。すなわち、補助反射部３１０,３７６によって反射した第２回転灯発光体３４０の光によって回転灯カバー部材３３０をより明輝させることができる。しかも、第２回転灯発光体３４０および補助反射部３１０,３７６は、遊技盤２０における奥側に位置して比較的暗くなる回転灯カバー部材３３０の後壁部３３４を照らすことができ、第１回転灯発光体３２０の反射光を好適に強調し得る。
【００７２】
前記一対の第２回転灯発光体３４０,３４０は、第１回転灯発光体３２０の点灯時に常時点灯するように発光制御してもよいが、図２２に示すように回転部材３２４の回転に合わせて発光制御してもよい。図２２は、反射鏡面３２７ａの向きと一対の第２回転灯発光体３４０,３４０の発光制御との関係を示す説明図であって、反射鏡面３２７ａがパチンコ機後側を向いた状態を０°とし、反射鏡面３２７ａが右側を向いた状態を９０°とし、反射鏡面３２７ａがパチンコ機前側を向いた状態(前述の基準状態)を１８０°とし、反射鏡面３２７ａが左側を向いた状態を２７０°とし、回転部材３２４が時計回りに回転する場合を示している。
【００７３】
図２２に示す発光制御パターンにおいて、回転発光装置３００は、反射鏡面３２７ａが０°〜９０°(０°≦反射鏡面＜９０°)の範囲にあるときに、右部第２回転灯発光体３４０Ａを点灯すると共に、左部第２回転灯発光体３４０Ｂを消灯するよう発光制御される。すなわち、反射鏡面３２７ａが右後側を向いている際に、回転部材３２４の右側に位置している右部第２回転灯発光体３４０Ａを点灯することで、反射鏡面３２７ａの反射光が強調される一方、回転部材３２４の左側が暗くなり、左右で明暗差がはっきりさせることができる。回転発光装置３００は、反射鏡面３２７ａが９０°〜２７０°(９０°≦反射鏡面＜２７０°)の範囲にあるときに、両方の第２回転灯発光体３４０Ａ,３４０Ｂを消灯するよう発光制御される。これにより、手前側の回転灯カバー部材３３０の意匠壁部３３２が反射鏡面３２７ａの反射光で照らされて明るくなる一方、奥側の回転灯カバー部材３３０の後壁部３３４が暗くなり、回転灯カバー部材３３０の立体感が強調される。回転発光装置３００は、反射鏡面３２７ａが２７０°〜０°(３６０°)(２７０°≦反射鏡面＜０°(３６０°))の範囲にあるときに、左部第２回転灯発光体３４０Ｂを点灯すると共に、右部第２回転灯発光体３４０Ａを消灯するよう発光制御される。すなわち、反射鏡面３２７ａが左後側を向いている際に、回転部材３２４の左側に位置している左部第２回転灯発光体３４０Ｂを点灯することで、反射鏡面３２７ａの反射光が強調される一方、回転部材３２４の右側が暗くなり、左右で明暗差がはっきりさせることができる。このように、一対の第２回転灯発光体３４０,３４０を回転部材３２４の回転に合わせて発光制御することで、回転発光装置３００による発光演出にメリハリをつけることができると共に立体感を向上させることができる。
【００７４】
図２２を参照して説明した発光制御パターンに限定されず、図２３に示す別パターンの発光制御を行ってもよい。なお、反射鏡面３２７ａがパチンコ機後側を向いた状態を０°とし、反射鏡面３２７ａが右側を向いた状態を９０°とし、反射鏡面３２７ａがパチンコ機前側を向いた状態(前述の基準状態)を１８０°とし、反射鏡面３２７ａが左側を向いた状態を２７０°とし、回転部材３２４が時計回りに回転する場合を示している。
【００７５】
図２３に示す発光制御パターンにおいて、回転発光装置３００は、反射鏡面３２７ａが左斜め後方を向く３１５°から右斜め後方を向く４５°の範囲(３１５°≦反射鏡面＜４５°)にあるときに、両方の第２回転灯発光体３４０Ａ,３４０Ｂを点灯するよう発光制御される。すなわち、反射鏡面３２７ａが後側を向いている際に、回転部材３２４の両側にある一対の第２回転灯発光体３４０Ａ,３４０Ｂを点灯することで、反射鏡面３２７ａの反射光を強調することができる。回転発光装置３００は、反射鏡面３２７ａが右斜め後方に向く４５°から右斜め前方を向く１３５°の範囲(４５°≦反射鏡面＜１３５°)にあるときに、右部第２回転灯発光体３４０Ａを点灯すると共に、左部第２回転灯発光体３４０Ｂを消灯するよう発光制御される。すなわち、反射鏡面３２７ａが右方を向いている際に、回転部材３２４の右側に位置している右部第２回転灯発光体３４０Ａを点灯することで、反射鏡面３２７ａの反射光が強調される一方、回転部材３２４の左側が暗くなり、左右で明暗差がはっきりさせることができる。回転発光装置３００は、反射鏡面３２７ａが右斜め前方に向く１３５°から左斜め前方に向く２２５°の範囲(１３５°≦反射鏡面＜２２５°)にあるときに、両方の第２回転灯発光体３４０Ａ,３４０Ｂを消灯するよう発光制御される。これにより、手前側の回転灯カバー部材３３０の意匠壁部３３２が反射鏡面３２７ａの反射光で照らされて明るくなる一方、奥側の回転灯カバー部材３３０の後壁部３３４が暗くなり、回転灯カバー部材３３０の立体感が強調される。回転発光装置３００は、反射鏡面３２７ａが左斜め前方に向く２２５°から右斜め後方に向く３１５°の範囲(２２５°≦反射鏡面＜３１５°)にあるときに、左部第２回転灯発光体３４０Ｂを点灯すると共に、右部第２回転灯発光体３４０Ａを消灯するよう発光制御される。すなわち、反射鏡面３２７ａが左方を向いている際に、回転部材３２４の左側に位置している左部第２回転灯発光体３４０Ｂを点灯することで、反射鏡面３２７ａの反射光が強調される一方、回転部材３２４の右側が暗くなり、左右で明暗差がはっきりさせることができる。このように、一対の第２回転灯発光体３４０,３４０を回転部材３２４の回転に合わせて発光制御しても、回転発光装置３００による発光演出にメリハリをつけることができると共に立体感を向上させることができる。
【００７６】
(発光演出装置)
図２４〜図３４に示すように、前記発光演出装置４００は、発光演出部４１０および照明演出部４５０を有する演出ユニット４０２を複数備えている。図３に示すように、実施例の発光演出装置４００は、表示部１３ａを左右に挟んで一対の演出ユニット４０２,４０２を備えており、設置部材４０の左右の側部の夫々に演出ユニットが設置されている。各演出ユニット４０２には、発光の向きが変わる回転灯のような回転発光演出が行われる発光演出部４１０が表示部１３ａの外縁部に並べて複数(実施例では３基)設けられると共に、表示部１３側を照らす１基の照明演出部４５０が複数の発光演出部４１０の表示部１３ａ側に設けられている。ここで、一対の演出ユニット４０２,４０２は、基本的な構成が同じであるので、表示部１３ａの右側に設けられる演出ユニット(区別する場合は右部演出ユニット４０２Ａという)について説明して、表示部１３の左側に設けられる演出ユニット(区別する場合は左部演出ユニット４０２Ｂという)について、右部演出ユニット４０２Ａと同じ構成要素については同一の符号を付して説明を省略する。なお、左部演出ユニット４０２Ｂでは、構成要素の配置が右部演出ユニット４０２Ａの構成要素の配置と表示部１３ａを挟んで左右対称な関係になる(図３参照)。
【００７７】
前記演出ユニット４０２には、表示部１３ａの外側縁部に上下の関係で並べて３基の発光演出部４１０が設置されており、各発光演出部４１０のパチンコ機前側に臨む外観形状が基本的に同様に構成されている(図３または図２４参照)。すなわち、３基の発光演出部４１０は、何れも回転灯を模した外観形状になっている。なお、３基の発光演出部４１０は、区別する場合は演出ユニット４０２において一番上側に設置されているものを上段発光演出部４１０Ａといい、中間に設置されているもの中段発光演出部４１０Ｂといい、一番下側に設置されているものを上段発光演出部４１０Ｃという。演出ユニット４０２では、３基の発光演出部４１０の姿勢が夫々異なるように設置されており、下段発光演出部４１０Ｃの外観形状が横に寝かせた姿勢とされ、中段発光演出部４１０Ｂの外観形状が斜め上方に向けて傾いた姿勢とされ、上段発光演出部４１０Ａの外観形状が、中段発光演出部４１０Ｂよりも上方に向けて更に傾いた傾斜姿勢とされている(図２４参照)。なお、前述した表示部１３ａの上側に位置する回転発光装置３００の外観形状は、回転灯を縦に立てた姿勢であり、同じモチーフの外観形状で形成された回転発光装置３００および複数の発光演出部４１０が、表示部１３ａを中心として姿勢を順次変えつつ略円形配列されている(図４(ａ)参照)。
【００７８】
前記演出ユニット４０２は、ユニットベース４０４に発光演出部４１０および照明演出部４５０が設置されており、ユニットベース４０４を介して一体的に取り扱い可能になっている。ユニットベース４０４は、設置部材４０における表示開口部４０ａの側部に設置されるユニットベース本体４０５と、このユニットベース本体４０５の表示部１３ａ側の縁部に取り付けられるユニットベース補助体４０９とから構成されている(図３１参照)。ユニットベース本体４０５は、発光演出部４１０の後側に延在する壁面を構成する設置壁部４０６と、この設置壁部４０６から前側に延出するよう形成され、発光演出部４１０を挟んで表示部１３ａと反対側に延在する外壁部４０７と、設置壁部４０６から前側に延出するよう形成され、隣り合う発光演出部４１０,４１０の間の一部を仕切る仕切壁部４０８とを備えている(図２７参照)。ユニットベース本体４０５は、全面に光を反射し得るめっき等の鏡面加工が施され、外面全体が光を反射可能に構成されている。すなわち、発光演出部４１０の後述する反射部材４２０の後側には、鏡面加工された設置壁部４０６が配置され、この設置壁部(補助反射部材)４０６の前面が前側へ光を反射する補助反射面として機能するようになっている。ユニットベース補助体４０９は、設置壁部４０６における表示部１３ａ側の縁部に、表示部１３ａ側へ延出するように設けられている。また、ユニットベース補助体４０９は、光を透過可能に構成されて、実施例では無色透明とされる。
【００７９】
(発光演出部)
前記演出ユニット４０２が備える３基の発光演出部４１０の共通する構成について説明する。３基の発光演出部４１０は、基本的な構成が同じであるので、共通する構成には同一符号を付す。発光演出部４１０は、同一平面上に配置され、同一方向に光を照射し得る複数の発光源４１２と、これらの発光源４１２の光照射方向前側に延在してパチンコ機後側から前側に向かうにつれて該光照射方向前側に向かう段状に傾斜形成された反射面４２８を有し、該発光源４１２から照射された光を該反射面４２８によってパチンコ機前側へ反射する反射部材４２０と、この反射部材４２０のパチンコ機前側を覆うように設けられ、光を透過可能な発光カバー部材(カバー部材)４３０とを備えている(図３１参照)。発光演出部４１０は、発光源４が遊技盤２０の盤面に平行な盤面方向(以下、単に盤面方向という)に向けて光を照射するよう構成されており、発光演出部４１０では、発光源４１２の光照射方向に沿う仮想軸周りで光が回転してみえるような回転発光演出が行われる。なお、盤面方向とは、略垂直に立てた姿勢でパチンコ機１０で設置される遊技盤２０の盤面(板面)に沿う方向であって、パチンコ機前後方向を除く上下・左右・斜め方向をいう。また、発光源４１２(前述した発光体も含む)の光照射方向とは、発光源４１２から照射された光束の代表となる仮想的な光線(光軸)の向きをいい、以下の説明では、発光源４１２の光照射方向を単に光軸方向という。発光演出部４１０は、後述する補助発光源４３２を除く発光源４１２および発光カバー部材４３０が、反射部材４２０に取り付けられ、反射部材４２０を介して一つのユニットとして一体的に取り扱うことができる。
【００８０】
前記発光演出部４１０では、複数(３ヵ所以上が望ましい)の発光源４１２が、少なくとも２段の反射面４２８に対向するようパチンコ機前後に振り分けて配置されると共に、同じ段の反射面４２８に対応する発光源４１２が、光軸方向と直交する盤面方向に互いにずらして配置されている(図３２〜図３４参照)。また、隣り合う段の反射面４２８,４２８に対向する発光源４１２,４１２同士は、パチンコ機前後方向に重ならないように配置するのが好ましい。すなわち、発光演出部４１０では、反射面部４２４において一番奥側(パチンコ機後側)に位置する後段反射面４２８Ａに対向する発光源４１２と、後段反射面４２８Ａの手前側(パチンコ機前側)に隣り合う中段反射面４２８Ｂに対向する発光源４１２とが、光軸方向と直交する盤面方向に互いにずらして配置され、中段反射面４２８Ｂに対向する発光源４１２と、中段反射面４２８Ｂの手前側に隣り合う前段反射面４２８Ｃに対向する発光源４１２とが、光軸方向と直交する盤面方向に互いにずらして配置されている。また、後段反射面４２８Ａに対向する発光源４１２と前段反射面４２８Ｃに対向する発光源４１２とは、パチンコ機前後方向に重なる関係で配置しても、互いにずらして配置してもよい。なお、光軸方向と直交する盤面方向を、以下の説明では「演出部幅方向」といい、実施例では発光演出部４１０毎に光軸方向が異なっているので、これに伴って発光演出部４１０毎に演出部幅方向も異なっている。
【００８１】
前記発光源４１２とは、１基のＬＥＤ等の発光体、あるいは対向する反射面４２８の段が同じでかつ演出部幅方向の配設部位が近接する複数の発光体からなる発光体群をいい、発光演出部４１０の回転発光演出に際して発光源４１２単位で発光制御される。実施例では、発光源４１２が１基の発光体に１対１の関係で対応しており、発光源４１２が最小限の発光体で構成されている(図３１参照)。複数の発光源４１２は、１枚の発光源基板４１４の一面にパチンコ機前後方向および演出部幅方向に互いに離れるように設置されている。発光源基板４１４は、表示部１３ａ側に開放した略トレイ形状の基板保持部４１６に対して表示部１３側から嵌め合わせて保持されて、基板保持部４１６に開設された保持部開口４１６ａを介して複数の発光源４１２が表示部１３ａと反対側に臨むようになっている。基板保持部４１６は、反射部材４２０の後述する台座部４２２の表示部１３ａ側の面にネジ止め固定されると共に、後端面に演出部幅方向に離間して設けられた一対の保持部ボス(図示せず)をユニットベース補助体４０９の保持部ボス受け孔４０９ａに挿入して位置決めされる。そして、基板保持部４１６に保持された発光源基板４１４は、遊技盤２０の盤面に対して略垂直に立てた姿勢でユニットベース４０４に設置されている。ここで、後述する照明演出部４５０の遮蔽部４５２となる基板保持部４１６および発光源基板４１４の表示部１３ａ側の面は、光を反射可能に構成されており、実施例では、基板保持部４１６全体が光を反射し易い白色とされると共に、発光源基板４１４が電気素子を除く基板面が白色とされている。なお、右部演出ユニット４０２Ａの上段発光演出部４１０Ａだけは、基板保持部４１６を省略して発光源基板４１４が反射部材４２０の台座部４２２に直接固定されている。
【００８２】
前記反射部材４２０は、発光源基板(基板保持部)を収容保持する基板設置部としての台座部４２２と、この台座部４２２を挟んで表示部１３ａと反対側に延出するように設けられ、反射面４２８を有する反射面部４２４とから構成されている(図３２〜図３４参照)。反射部材４２０は、反射面４２８だけでなくその他の外面についても、光を反射し得るめっき等の鏡面加工が施され、外面全体で光を反射可能に構成されている。台座部４２２は、表示部１３ａ側に開放した略トレイ状に形成され、表示部１３ａ側に収容保持された発光源基板４１４の発光源４１２が、円形に開設された台座部開口４２２ａを介して反射面部４２４側に臨むようになっている。反射面部４２４は、台座部開口４２２ａのパチンコ機後側および演出部幅方向に対向する横側を囲うように、台座部４２２における表示部１３ａと反対側に略ドーム形状で立設されて、パチンコ機前側に開口すると共にパチンコ機後側が閉塞するよう構成されている。また、反射面部４２４は、台座部４２２から表示部１３ａと反対側に延出するにつれて演出部幅方向の幅が先細りになるように形成されている。反射面部４２４は、台座部開口４２２ａのパチンコ機後側で台座部４２２に接続される後壁面部４２４ａが、根元側から表示部１３ａと反対側に向かうにつれて台座部開口４２２ａの光軸方向前側に重なるように張り出し、後壁面部４２４ａによって台座部開口４２２ａが覆われるようになっている。
【００８３】
前記反射面部４２４の後壁面部４２４ａは、光軸方向に沿って延在する並行面４２７と、この並行面４２７に対して交差するように連なり、光軸方向に対して傾斜した反射面４２８とからなる段部４２６が、複数段設けられている(図２７、図２９または図３２〜図３４参照)。すなわち、後壁面部４２４ａは、並行面４２７と反射面４２８とが折れ線状に交互に連なるように屈曲形成されており、光軸方向前側においてパチンコ機前側に指向するように傾斜する反射面４２８によって、発光源４１２の光がパチンコ機前側に反射される。実施例の後壁面部４２４ａには、台座部４２２に接続する根元側から先端部に向けて、後段部、中段部および前段部の３段が順番に設けられ、後段部から前段部に向かうにつれてパチンコ機前側に張り出している。なお、並行面４２７および反射面４２８は、後述する後段部の傾斜面４２９を除いて基本的に演出部幅方向に沿って直線的に延在している。そして、後段部の後段反射面４２８Ａは、台座部開口４２２ａのパチンコ機後側の領域に対向し、中段部の中段反射面４２８Ｂは、台座部開口４２２ａのパチンコ機前後方向の中間領域に対向し、前段部の前段反射面４２８Ｃは、台座部開口４２２ａのパチンコ機前側の領域に対向するようになっている。なお、各段部では、並行面４２７についても光を反射可能に構成されている。
【００８４】
前記反射面部４２４は、台座部開口４２２ａを挟んで演出部幅方向に対向する横側に位置して一対の横壁面部４２４ｂ,４２４ｂを有し、これらの横壁面部４２４ｂ,４２４ｂによって演出部幅方向へ光が漏れることを防止している(図２７参照)。また、反射面部４２４は、後段部の並行面４２７における演出部幅方向の両側部に、横壁面部４２４ｂに向けて斜めに延在するように形成された傾斜面４２９を備え、この傾斜面４２９が後段部の後段反射面４２８Ａにも連なっている。後段反射面４２８Ａは、一対の傾斜面４２９,４２９に挟まれて後段部の並行面４２７に連なる部分から光軸方向前側に向かうにつれて拡開するように形成されている(図２７または図３２〜図３４参照)。
【００８５】
前記発光カバー部材４３０は、表示部１３ａ側が開放した略器状に形成されており、反射面部４２４を内側に収容した状態で表示部１３ａ側の開放端部を台座部４２２に突き合わせて設置されている。すなわち、発光カバー部材４３０は、反射部材４２０の反射面部４２４におけるパチンコ機前側を覆うだけでなく、反射面部４２４における演出部幅方向に対向する横側、反射面部４２４における光軸方向前側および反射面部４２４におけるパチンコ機後側の一部を覆うように構成されている。また、発光カバー部材４３０は、パチンコ機前側に臨む外面が交差する平面を組み合わせた多面状に形成され(図３１参照)、交差する平面のなす稜線４３０ａが演出部幅方向に並ぶよう設けられている(図２４参照)。発光カバー部材４３０では、交差する外面のなす稜線４３０ａが光軸方向に延在すると共に、台座部開口４２２ａの中心を通る光軸方向に沿う仮想線を挟んで演出部幅方向に対称な関係で稜線が並んでいる。更に、発光カバー部材４３０は、外面が多面形状に形成されているのに対し、反射面部４２４に臨む内面が円弧状に滑らかに形成されている。なお、実施例の発光カバー部材４３０は、有色透明に構成されている。
【００８６】
前記反射面部４２４における演出部幅方向の横側には、発光カバー部材４３０を介してパチンコ機前側へ光を照射し得る補助発光源４３２が設けられている(図２７参照)。補助発光源４３２は、反射面部４２４とパチンコ機前後方向に重ならなず、発光カバー部材４３０のパチンコ機後側に重なるように設けられており、反射面部４２４に対して演出部幅方向に外した該反射面部４２４の脇に配置されている。補助発光源４３２は、ユニットベース本体４０５の後面に取り付けられたベース発光基板４３４の前面に設置され、ユニットベース本体４０５の設置壁部４０６に前後に貫通形成された補助発光源開口４０６ａを介して前側に光を照射し得るようになっている。ベース発光基板４３４には、ユニットベース本体４０５の仕切壁部４０８に対応して仕切発光体４３６が設けられており、この仕切発光体４３６によって仕切壁部４０８の仕切発光部４３８を発光演出するよう構成される(図２７参照)。
【００８７】
前記上段発光演出部４１０Ａは、発光源４１２が斜め右上方に光を照射するように構成され、この光軸方向に直交する演出部幅方向が上から下に向かうにつれて表示部１３ａ側から離れるように傾斜している。中段発光演出部４１０Ｂは、上段発光演出部４１０Ａよりも水平面に対して浅い角度で発光源４１２が斜め右上方に光を照射するように構成され、この光軸方向に直交する演出部幅方向が上から下に向かうにつれて表示部１３ａ側から離れるように傾斜している。下段発光演出部４１０Ｃは、発光源４１２が右方へ向けて光を水平に照射するように構成され、この光軸方向に直交する演出部幅方向が上下方向に延在している。
【００８８】
図３２に示すように、上段発光演出部４１０Ａは、演出部幅方向に互いにずらして配置された３基の発光源４１２を備えている。上段発光演出部４１０Ａでは、演出部幅方向の両端に位置する２基の発光源４１２,４１２が中段反射面４２８Ｂに対向するように配置されると共に、中段反射面４２８Ｂに対応する２基の発光源４１２,４１２の間に演出部幅方向において位置する１基の発光源４１２が後段反射面４２８Ａに対向するように配置されている。また、上段発光演出部４１０Ａは、１基の補助発光源４３２(他の発光演出部４１０Ｂ,４１０Ｃの補助発光源４３２と区別する場合は、上段補助発光源４３２Ａという)を備えている(図２７参照)。上段補助発光源４３２Ａは、反射面部４２４から演出部幅方向の一方(実施例では下側)に外れた横側に設けられ、上段発光演出部４１０Ａと中段発光演出部４１０Ｂとの間に設けられた仕切壁部４０８と反射面部４２４との間に配置されている。
【００８９】
図３３に示すように、前記中段発光演出部４１０Ｂは、４基の発光源４１２を備えている。中段発光演出部４１０Ｂでは、演出部幅方向の両端に位置する２基の発光源４１２,４１２が中段反射面４２８Ｂに対向するように配置されると共に、中段反射面４２８Ｂに対応する２基の発光源４１２,４１２の間に演出部幅方向において位置する２基の発光源４１２,４１２が後段反射面４２８Ａおよび前段反射面４２８Ｃの夫々に対向するように振り分けて配置されている。また、中段発光演出部４１０Ｂは、４基の補助発光源４３２を備えている(図２７参照)。中段発光演出部４１０Ｂには、４基の補助発光源４３２(他の発光演出部４１０Ａ,４１０Ｃの補助発光源４３２と区別する場合は、中段補助発光源４３２Ｂという)が反射面部４２４を演出部幅方向に挟んだ両側に２基ずつ振り分けて設けられている。反射面部４２４から演出部幅方向の一方(実施例では下側)に外れた同じ横側に設けられた２基の中段補助発光源４３２Ｂ,４３２Ｂは、光軸方向に離間して配置されると共に、下段発光演出部４１０Ｃと中段発光演出部４１０Ｂとの間に設けられた仕切壁部４０８と反射面部４２４との間に配置されている。これに対し、反射面部４２４から演出部幅方向の他方(実施例では上側)に外れた同じ横側に設けられた２基の中段補助発光源４３２Ｂ,４３２Ｂは、光軸方向に離間して配置されると共に、上段発光演出部４１０Ａと中段発光演出部４１０Ｂとの間に設けられた仕切壁部４０８と反射面部４２４との間に配置されている。そして、中段補助発光源４３２Ｂは、反射面部４２４に対して同じ側にあるものが、同期して発光演出される。
【００９０】
図３４に示すように、下段発光演出部４１０Ｃは、演出部幅方向に互いにずらして配置された３基の発光源４１２を備えている。下段発光演出部４１０Ｃでは、演出部幅方向の他端(実施例では上側)に位置する１基の発光源４１２が中段反射面４２８Ｂに対向するように配置されると共に、残り２基の発光源４１２,４１２が演出部幅方向に離間させて前段反射面４２８Ｃに対向するように配置されている。また、下段発光演出部４１０Ｃは、３基の補助発光源４３２を備えている(図２７参照)。中段発光演出部４１０Ｃでは、３基の補助発光源４３２(他の発光演出部４１０Ａ,４１０Ｂの補助発光源４３２と区別する場合は、下段補助発光源４３２Ｃという)が反射面部４２４を演出部幅方向に挟んだ両側に振り分けて設けられている。反射面部４２４から演出部幅方向の一方(実施例では下側)に外れた横側に設けられた１基の下段補助発光源４３２Ｃは、下段発光演出部４１０Ｃの下側に延在する仕切壁部４０８と反射面部４２４との間に配置されている。これに対し、反射面部４２４から演出部幅方向の他方(実施例では上側)に外れた同じ横側に設けられた２基の下段補助発光源４３２Ｃ,４３２Ｃは、光軸方向に離間して配置されると共に、下段発光演出部４１０Ｃと中段発光演出部４１０Ｂとの間に設けられた仕切壁部４０８と反射面部４２４との間に配置されている。そして、下段補助発光源４３２Ｃは、反射面部４２４に対して同じ側にあるものが、同期して発光演出される。
【００９１】
前記発光演出部４１０では、複数の発光源４１２が、演出部幅方向またはパチンコ機前後方向に隣り合う発光源４１２を結んで環状にループするように該発光源単位で順次発光制御されて、発光カバー部材４３０を介してパチンコ前側に照射される反射光によって擬似的な回転発光演出を行うよう構成されている。また、補助発光源４３２は、演出部幅方向において該補助発光源４３２が設けられた側と同じ側の発光源４１２の点灯に合わせて点灯するよう発光制御される。
【００９２】
前記上段発光演出部４１０Ａでの回転発光制御について、図３５(ａ)を参照して具体的に説明する。なお、図３５(ａ)の表において丸囲みの数字は上段発光演出部４１０Ａの発光源４１２または上段補助発光源４３２Ａの発光順序を表し、同じ数字であれば同じタイミングで発光される。また、図３５(ａ)の表において、発光源４１２または上段補助発光源４３２Ａが配置されていない部位は斜線が引いてある。上段発光演出部４１０Ａは、後段反射面４２８Ａに対向する後段発光源４１２を点灯すると共に、中段反射面４２８Ｂに対向する他の２基の中段発光源４１２,４１２を消灯する。このとき、上段補助発光源４３２Ａは消灯している。中段反射面４２８Ｂに対応する一方(実施例では下側)の中段発光源４１２を点灯すると共に、後段反射面４２８Ａに対向する後段発光源４１２を消灯し、中段反射面４２８Ｂに対応する他方の中段発光源４１２の消灯状態を維持する。中段反射面４２８Ｂに対向する一方の中段発光源４１２の点灯に合わせて、この一方の中段発光源４１２と演出部幅方向において同じ側にある上段補助発光源４３２Ａが点灯される。中段反射面４２８Ｂに対応する他方(実施例では上側)の中段発光源４１２を点灯すると共に、中段反射面４２８Ｂに対応する一方の中段発光源４１２および上段補助発光源４３２Ａを消灯し、後段反射面４２８Ａに対向する後段発光源４１２の消灯状態を維持する。後段反射面４２８Ａに対向する後段発光源４１２を点灯すると共に、中段反射面４２８Ｂに対向する他方の中段発光源４１２を消灯し、中段反射面４２８Ｂに対向する一方の中段発光源４１２および上段補助発光源４３２Ａの消灯状態を維持する。このように、上段発光演出部４１０Ａでは、後段発光源４１２、一方および他方の中段発光源４１２が、一定の方向に発光順序が環状にループするように発光制御される。また、上段発光演出部４１０Ａでは、一方の中段発光源４１２の発光制御に合わせて、上段補助発光源４３２Ａが発光制御される。
【００９３】
前記中段発光演出部４１０Ｂでの回転発光制御について、図３５(ｂ)を参照して具体的に説明する。なお、図３５(ｂ)の表において丸囲みの数字は中段発光演出部４１０Ｂの発光源４１２または中段補助発光源４３２Ｂの発光順序を表し、同じ数字であれば同じタイミングで発光される。また、図３５(ｂ)の表において、発光源４１２または中段補助発光源４３２Ｂが配置されていない部位は斜線が引いてある。中段発光演出部４１０Ｂは、後段反射面４２８Ａに対向する後段発光源４１２を点灯すると共に、他段の反射面４２８Ｂ,４２８Ｃに対向する他の３基の発光源４１２を消灯する。このとき、反射面部４２４の両側にある４基の中段補助発光源４３２Ｂは、何れも消灯されれている。中段反射面４２８Ｂに対応する一方(実施例では下側)の中段発光源４１２を点灯すると共に、後段発光源４１２を消灯し、中段反射面４２８Ｂに対応する他方(実施例では上側)の中段発光源４１２および前段反射面４２８Ｃに対向する前段発光源４１２の消灯状態を維持する。このとき、一方の中段発光源４１２の点灯に合わせて、この一方の中段発光源４１２と演出部幅方向において同じ側にある２基の中段補助発光源４３２Ｂ,４３２Ｂ(一方の中段補助発光源の組という)が点灯される。前段発光源４１２を点灯すると共に、一方の中段発光源４１２および一方の補助発光源４３２Ｂ,４３２Ｂの組を消灯し、中段反射面４２８Ｂに対応する他方の中段発光源４１２および後段発光源４１２の消灯状態を維持する。他方の中段発光源４１２を点灯すると共に、前段発光源４１２を消灯し、中段反射面４２８Ｂに対応する一方の中段発光源４１２、後段発光源４１２および一方の中段補助発光源４３２Ｂ,４３２Ｂの組の消灯状態を維持する。このとき、他方の中段発光源４１２の点灯に合わせて、この他方の中段発光源４１２と演出部幅方向において同じ側にある２基の中段補助発光源４３２Ｂ,４３２Ｂ(他方の中段補助発光源４３２Ｂ,４３２Ｂの組という)が点灯される。後段発光源４１２を点灯すると共に、他方の中段発光源４１２および他方の中段補助発光源４３２Ｂ,４３２Ｂの組を消灯し、一方の中段発光源４１２、前段発光源４１２および一方の中段補助発光源４３２Ｂ,４３２Ｂの組の消灯状態を維持する。このように、中段発光演出部４１０Ｂでは、後段発光源４１２、一方および他方の中段発光源４１２,４１２、前段発光源４１２が、一定の方向に発光順序が環状にループするように発光制御される。また、中段発光演出部４１０Ｂでは、一方の中段発光源４１２の発光制御に合わせて、一方の中段補助発光源４３２Ｂ,４３２Ｂの組が発光制御され、他方の中段発光源４１２の発光制御に合わせて、他方の中段補助発光源４３２Ｂ,４３２Ｂの組が発光制御される。
【００９４】
前記下段発光演出部４１０Ｃでの回転発光制御について、図３５(ｃ)を参照して具体的に説明する。なお、図３５(ｃ)の表において丸囲みの数字は下段発光演出部４１０Ｃの発光源４１２または下段補助発光源４３２Ｃの発光順序を表し、同じ数字であれば同じタイミングで発光される。また、図３５(ｃ)の表において、発光源４１２または下段補助発光源４３２Ｃが配置されていない部位は斜線が引いてある。下段発光演出部４１０Ｃは、中段反射面４２８Ｂに対向する中段発光源４１２を点灯すると共に、他段の反射面４２８Ｃに対向する他の２基の発光源４１２,４１２を消灯する。このとき、中段発光源４１２の点灯に合わせて、この中段発光源４１２と演出部幅方向において同じ側にある２基の下段補助発光源４３２Ｃ,４３２Ｃ(一方の下段補助発光源の組という)が点灯されると共に、反射面部４２４を挟んで演出部幅方向の反対側にある他方の下段補助発光源４３２Ｃが消灯されている。前段反射面４２８Ｃに対応する一方(実施例では下側)の前段発光源４１２を点灯すると共に、中段発光源４１２を消灯し、前段反射面４２８Ｃに対応する他方(実施例では上側)の前段発光源４１２の消灯状態を維持する。このとき、一方の前段発光源４１２の点灯に合わせて、この一方の前段発光源４１２と演出部幅方向において同じ側にある１基の下段補助発光源４３２Ｃ(他方の補助発光源)が点灯されると共に、反射面部４２４を挟んで演出部幅方向の反対側にある一方の下段補助発光源４３２Ｃ,４３２Ｃが消灯される。他方の前段発光源４１２を点灯すると共に、一方の前段発光源４１２および他方の下段補助発光源４３２Ｃの全てを消灯し、中段発光源４１２および一方の下段補助発光源４３２Ｃ,４３２Ｃの組の消灯状態を維持する。中段発光源４１２および一方の下段補助発光源４３２Ｃ,４３２Ｃの組を点灯すると共に、他方の前段発光源４１２を消灯する。このように、下段発光演出部４１０Ｃでは、中段発光源４１２、一方および他方の前段発光源４１２,４１２が、一定の方向に発光順序が環状にループするように発光制御される。また、下段発光演出部４１０Ｃでは、中段発光源４１２の発光制御に合わせて、一方の下段補助発光源４３２Ｃ,４３２Ｃの組が発光制御され、一方の前段発光源４１２の発光制御に合わせて、他方の下段補助発光源４３２Ｃが発光制御される。
【００９５】
なお、左部演出ユニット４０２Ｂの発光演出部４１０Ａ,４１０Ｂ,４１０Ｃでは、発光源４１２の配置および回転発光制御の態様が、右部演出ユニット４０２Ａの中段発光演出部４１０Ｂと同じになっている。また、右部演出ユニット４０２Ａでは、複数の発光源４１２を光軸方向から見た際に、時計回りに光が回転するように回転発光演出が行われる。これに対し、左部演出ユニット４０２Ｂでは、複数の発光源４１２を光軸方向から見た際に、反時計回りに光が回転するように回転発光演出が行われる。
【００９６】
前記発光演出装置４００では、各発光演出部４１０での回転発光制御だけでなく、発光演出部の発光演出を組み合わせた連動発光制御も行われる。発光演出装置４００では、連動発光制御において、複数の発光演出部４１０が発光源４１２による回転発光演出の回転方向が揃えられると共に、複数の発光演出部４１０における並びの一方から他方へ向けて隣り合う発光演出部４１０,４１０間の発光態様が連なるように発光制御される。実施例の発光演出装置４００は、連動発光制御において、左部演出ユニット４０２Ｂの下段発光演出部４１０から始まり、左部演出ユニット４０２Ｂの中段発光演出部４１０Ｂから上段発光演出部４１０Ｃに連なるように、下から上に向けて順番に発光演出される。また、発光演出装置４００は、左部演出ユニット４０２Ｂの上段発光演出部４１０Ａから右部演出ユニット４０２Ａの上段発光演出部４１０Ａに連なり、この上段発光演出部４１０Ａから中段発光演出部４１０Ｂ、下段発光演出部４１０Ｃに順に連なるように、上から下に向けて順番に発光演出される。発光演出装置４００では、連動発光制御において、表示部１３ａを囲む６基の発光演出部４１０によって(図３参照)、該表示部１３ａを中心とした時計回りのアーチ状に発光が連なるようになっている。
【００９７】
前記発光演出装置４００の連動発光制御について、より具体的に説明する。各発光演出部４１０では、連動発光制御において自身が発光するタイミングで、連続回転する通常の回転発光制御(通常時回転発光制御)ではなく、設定回転数(実施例では１回転)だけの回転発光制御(連動時回転発光制御)が行われる。左部演出ユニット４０２Ｂでは、下段発光演出部４１０Ｃ、中段発光演出部４１０Ｂおよび上段発光演出部４１０Ａの順に、１回転だけの回転発光演出が順番に行われ、下から上に発光演出が連なるパターンが構成される。ここで、左部演出ユニット４０２Ｂでは、補助発光体４３２についても下から上に発光演出が連なるパターンを構成するように順番に発光制御される。すなわち、左部演出ユニット４０２Ｂでは、下段発光演出部４１０Ｃの下側の下段補助発光源４３２Ｃ、下段発光演出部４１０Ｃ、下段発光演出部４１０Ｃの上側の補助発光源４３２Ｃ,４３２Ｃの組、中段発光演出部４１０Ｂの下側の中段補助発光源４３２Ｂ,４３２Ｂの組、中段発光演出部４１０Ｂ、中段発光演出部４１０Ｂの上側の中段補助発光源４３２Ｂ,４３２Ｂの組、上段発光演出部４１０Ａの下側の上段補助発光源４３２Ａ、上段発光演出部４１０Ａの順番で発光するようになっている。
【００９８】
前記右部演出ユニット４０２Ａでは、左部演出ユニット４０２Ｂの上段発光演出部４１０Ａの後に続いて上段発光演出部４１０Ａ、中段発光演出部４１０Ｂおよび下段発光演出部４１０Ｃの順に、１回転だけの回転発光演出が順番に行われ、上から下に発光演出が連なるパターンが構成される。ここで、右部演出ユニット４０２Ａでは、補助発光体４３２についても上から下に発光演出が連なるパターンを構成するように順番に発光制御される。すなわち、右部演出ユニット４０２Ａでは、上段発光演出部４１０Ａ、上段発光演出部４１０Ａの下側の上段補助発光源４３２Ａ、中段発光演出部４１０Ｂの上側の中段補助発光源４３２Ｂ,４３２Ｂの組、中段発光演出部４１０Ｂ、中段発光演出部４１０Ｂの下側の中段補助発光源４３２Ｂ,４３２Ｂの組、下段発光演出部４１０Ｃの下側の下段補助発光源４３２Ｃ,４３２Ｃの組、下段発光演出部４１０Ｃ、下段発光演出部４１０Ｃの下側の下段補助発光源４３２Ｃの順番で発光するようになっている。
【００９９】
このように、前記発光演出部４１０は、複数の発光源４１２を演出部幅方向(盤面方向)にずらして配置するだけでなく、反射部材４２０の段状に形成された反射面４２８に対応してパチンコ機前後方向にずらして配置している。そして、発光演出部４１０は、パチンコ機前後または演出部幅方向にずれた隣り合う発光源４１２,４１２を結んで環状にループするように該発光源４１２を順次発光制御することで、点灯する発光源４１２が演出部幅方向に移り変わることにより反射面４２８による反射光が盤面方向に変位すると共に、点灯する発光源４１２がパチンコ機前後方向に移り変わることにより光を反射する反射面４２８の段がパチンコ機前後方向に変位する。これにより、発光演出部４１０は、反射光が盤面方向に変位するだけでなくパチンコ機前後方向に変位するように見えるので、奥行き感のある回転灯に近い回転発光演出が得られる。また、発光演出部４１０は、発光源４１２を盤面方向にずらして配置すると共に、該発光源４１２を少なくとも２段の反射面に対向するようにパチンコ機前後にずらして配置することで、前述した回転発光演出を達成可能であるから、発光源４１２の数や反射部材４２０(反射面４２８)の大きさを抑えることができ、装置全体としてコンパクトにできる。そして、発光演出部４１０は、反射面部４２４の演出部幅方向の脇に補助発光源４３２を設け、この補助発光源４３２を演出幅方向において同じ側にある発光源４１２の点灯に合わせて点灯するよう発光制御することで、当該発光源４１２による反射光を補助発光源４３２によって強調することができ、より際立った回転発光演出を行うことができる。
【０１００】
前記発光演出部４１０は、反射部材４２０の反射面部４２４および発光カバー部材４３０の後側に位置する補助反射面としての設置壁部４０６に反射する光によって、発光カバー部材４３０の周りを明るくすることができる。また、発光カバー部材４３０は、外面が多面形状に形成されているので、反射面４２８から入射される反射光が屈折または乱反射して拡散させることができる。しかも、反射カバー部材４３０は、外面に形成された光軸方向に延在する稜線が演出部幅方向に並んでいるので、演出部幅方向に変位して見える回転発光演出を強調することができる。
【０１０１】
前記発光演出装置４００は、複数の発光演出部４１０における並びの一方から他方へ向けて隣り合う発光演出部４１０間の発光態様が連なるように連動発光制御することで、表示部１３ａの外縁部に並ぶ複数の発光演出部４１０によって該表示部１３ａの外縁を光が流れるような発光演出を行うことができる。実施例のように、連動発光制御時の発光パターンを左から右側に流れるように設定すれば、例えば当該発光演出を、大当たり発生時における右打ち指示報知等に用いることができる。
【０１０２】
(照明演出部)
前記演出ユニット４０２は、回転発光演出を行う発光演出部４１０とは別に、所定方向にスポットライトのように照らす発光演出を行う照明演出部４５０を備えている(図２４,図２７または図２９参照)。照明演出部４５０は、発光演出部４１０の台座部４２２を挟んで発光カバー部材４３０と反対側に位置して、複数の発光演出部４１０の並び方向に延在するように設けられ、演出ユニット４０２における表示部１３ａ側を構成している(図２６参照)。照明演出部４５０は、光を透過しない遮蔽部４５２と、この遮蔽部４５２と隙間Ｓをあけて対向配置され、光を透過可能な透光部４５４と、隙間Ｓに臨むように配置され、該隙間Ｓに光を照射可能な発光部４６０と、透光部４５４における遮蔽部４５２と反対側の面を被覆するように設けられた装飾部４６４とを備えている。装飾部４６４は、透光部４５４側の面が光を反射し得るよう構成されると共に、光を透過不能とされる。照明演出部４５０には、発光部４６０による光照射方向と交差する方向に凹凸するよう形成された導光部４５６が透光部４５４に設けられ、該導光部４５６に合わせて装飾部４６４に設けられた導光部開口４６５を介して外方に露出する導光部４５６が、発光部４６０から照射された光により発光するよう構成されている。照明演出部４５０は、導光部４５６が発光部４６０の光照射方向前側に対向して該発光部４６０から光が導光部４５６に直接入射される構成ではなく、発光部４６０から照射された光の装飾部４６４による反射等によって導光部４５６を間接的に発光するようになっている。
【０１０３】
前記遮蔽部４５２は、照明演出部４５０と隣り合わせて配置された発光演出部４１０の発光源基板(基板)４１４、該発光源基板４１４を保持する基板保持部４１６、基板保持部４１６を収容保持する基板設置部としての台座部４２２で構成されている(図２８参照)。なお、右部演出ユニット４０２Ａの上段発光演出部４１０Ａでは、発光源基板４１４と台座部４２２とから遮蔽部４５２の一部を構成している。ユニットベース４０４には、上下方向に並べて設置される３基の発光演出部４１０に対応して、遊技盤２０の盤面に対して立てた姿勢でユニットベース補助体４０９で支持された台座部４２２が表示部１３の外側縁部に連なるように並べて設けられている。ここで、台座部４２２における表示部１３ａ側の面は、前述の如く光を反射可能に構成されると共に、台座部４２２に収容保持される発光源基板４１４および基板保持部４１６についても、光を反射可能に構成されている。すなわち、実施例の遮蔽部４５２は、照明演出部４５０に隣り合って設けられた発光演出部４１０の構成部材４１４,４１６,４２２を共用して構成され、透光部４５４に対向する面全体として光を反射可能になっている。
【０１０４】
前記透光部４５４は、遮蔽部４５２に対して遊技盤２０の盤面方向に離間して対向配置され、透光部４５４と遮蔽部４５２との間に前後方向に連通する導光空間としての隙間Ｓが画成されている(図２９参照)。透光部４５４は、無色透明な板状の部材であって、遮蔽部４５２を構成する台座部４２２と同様に、遊技盤２０の盤面に立てた姿勢でユニットベース４０４に取り付けられている。透光部４５４は、遮蔽部４５２に相対する板面が該遮蔽部４５２と略平行になるよう形成されており、盤面方向の延在向きが互いに異なる台座部４２２に対応して、隣り合う台座部４２２,４２２の間に相対する部位で屈曲されて、盤面方向の延在向きが互いに異なる３つの板面部４５４ａが連設されている(図３０または図３１参照)。そして、右部演出ユニット４０２Ａの照明演出部４５０では、透光部４５４における下から２段の板面部４５４ａだけに導光部４５６が夫々設けられ、左部演出ユニット４０２Ｂの照明演出部４５０では、透光部４５４における全ての板面部４５４ａに導光部４５６が夫々設けられている。また、透光部４５４には、板面部４５４ａ,４５４ａ同士が繋がる屈曲部分近傍に副導光部４５７が設けられている。透光部４５４は、後端部および前端部の夫々に取付保持片４５４ｂが延出形成され、後端部の取付保持片４５４ｂをユニットベース補助体４０９に後側から当接させてネジ止め固定すると共に、前端部の取付保持片４５４ｂを台座部４２２に前側から当接させてネジ止め固定するようになっている。このように、台座部４２２は、前後の取付保持片４５４ｂ,４５４ｂによって前後から挟まれて保持されている。
【０１０５】
前記透光部４５４の前縁部(パチンコ機前側の縁部)には、前後方向に連通する隙間Ｓの前側を塞ぐ目隠し部４５９が一体形成されている。目隠し部４５９は、光を透過可能に構成されると共に、透明細かい凹凸が並ぶ光拡散加工が施されて、発光部４６０から隙間Ｓを介して前側へ照射された光を当該光拡散加工により拡散させて目隠し部４５９全体が発光するようになっている。また、目隠し部４５９には、ＬＥＤ等の装飾発光体(別の発光体)４７０ａを前面に備えた装飾発光基板４７０が設けられ(図２７参照)、装飾発光基板４７０の前側に設置された枠状装飾体２８の側部装飾発光部３２を装飾発光体４７０ａから照射した光によって発光演出するようになっている(図３参照)。透光部４５４には、外面が装飾部で覆われる部位に配線保持片４５８が設けられ、この配線保持片４５８によって装飾発光基板４７０に接続される装飾用配線４７２を保持するよう構成される(図３０参照)。ベース発光基板４３４に接続された装飾用配線４７２は、遮蔽部４５２と透光部４５４との隙間Ｓの後側開口から該隙間Ｓを前後方向に通って、装飾発光基板４７０のソケットに接続される。配線保持片４５８は、透光部４５４の板面から突出する片部の先端を該板面に沿って延在するように屈曲させた鉤状に形成されている。透光部４５４には、装飾発光基板４７０の後面に設けられたソケットの後側に位置して、一対の配線保持片４５８,４５８が前後方向に離間して設けられて、前後方向に引き回された装飾用配線４７２を２ヵ所で保持している。
【０１０６】
前記導光部４５６は、発光部４６０による光照射方向である前後方向と交差する盤面方向に凹凸する形状に形成されている(図２９(ｂ)参照)。実施例の導光部４５６は、対向する遮蔽部４５２から離間するように突出すると共に遮蔽部４５２側が凹む凸形状を基本として、外形円形に形成された該凸形状における突端面の外周縁に環状の突条が設けられると共に該突端面の中央部に円形の凸部が設けられている。また、導光部４５６は、突端面における中央凸部の周りから外周縁にかけて半径方向に延在する細かい凹凸が環状配列されており、当該凹凸によって光を拡散するようになっている。副導光部４５７は、対向する遮蔽部４５２から離間するように突出すると共に遮蔽部側が凹む凸形状であって、外形が円形に形成されている。実施例では、透光部４５４における中央の板面部４５４ａの屈曲部分近傍に、複数(実施例では３ヵ所)の副導光部４５７が前後方向に離間して設けられている。
【０１０７】
前記発光部４６０は、透光部４５４の後側(パチンコ機後側)に配置されて、遮蔽部４５２と透光部４５４との隙間Ｓを介して前側(パチンコ機前側)に光を照射するよう構成されている。発光部４６０は、ユニットベース補助体４０９に設置され、前記隙間Ｓに臨むように表示部１３ａ側に延出する照明基板４６１と、この照明基板４６１の前面(隙間Ｓに臨む面)に複数設けられたＬＥＤ等の照明発光体４６２とから構成されている(図２９または図３０参照)。発光部４６０では、透光部４５４における各板面部４５４ａの盤面方向の延在向きに沿って、複数の照明発光体４６２が一列並べて配置されている(図２７参照)。照明演出部４５０では、照明発光体４６２の光照射方向前側に透光部４５４の後端面が位置しており、照明発光体４６２から照射した光が透光部４５４の後端面から該透光部４５４の板面に沿って入射されるようになっている。なお、実施例では、照明発光体４６２の一部が、透光部４５４に対して前後に重なるように前記隙間Ｓにおいて透光部４５４側に偏倚させて配置されている。
【０１０８】
前記装飾部４６４は、不透明な板状の部材であって、演出ユニット４０２の表示部１３ａ側の面を構成している(図２６参照)。装飾部４６４は、遮蔽部４５２を構成する台座部４２２および透光部４５４と同様に、遊技盤２０の盤面に立てた姿勢で透光部４５４に取り付けられている。ここで、装飾部４６４は、全面に光を反射し得る鏡面加工を施すことで、光を通さないように構成されており、透光部４５４側の面だけでなく、外方に臨む面も光を反射可能になっている。装飾部４６４は、透光部４５４に相対する板面が該透光部４５４に沿うように形成されており、屈曲した透光部４５４に対応して屈曲形成されている。装飾部４６４には、各導光部４５６の外形に合わせて導光部開口４６５が開設されると共に、各副導光部４５７の外形に合わせて副導光部開口４６６が開設されている。すなわち、装飾部４６４には、各板面部４５４ａの導光部４５６に対応する板部に円形の導光部開口４６５が設けられ、板面部４５４ａの屈曲部分近傍の３つの副導光部４５７に対応して、前後方向に並ぶ円形の副導光部開口４６６が３ヵ所設けられている(図２６参照)。そして、装飾部４６４は、透光部４５４に面同士で当接させて、導光部４５６を対応の導光部開口４６５に嵌め合わせると共に副導光部４５７を対応の副導光部開口４６６に嵌め合わせた状態で透光部４５４に固定されている。装飾部４６４は、透光部４５４の後端縁および発光部４６０(照明基板４６１)よりも後側(発光部４６０の光照射方向後側)へ延在するように形成され、発光部４６０における表示部１３ａ側を覆っている(図２９参照)。
【０１０９】
前記照明演出部４５０は、発光部４６０の照明発光体４６２を点灯することで、隙間Ｓおよび透光部４５４の後端面に光が照射される。ここで、遮蔽部４５２および透明な透光部４５４を介して隙間Ｓに臨む装飾部４６４が光を反射するよう構成されているので、隙間Ｓに入射された光を、遮蔽部４５２および装飾部４６４で反射して導光部４５６または副導光部４５７に導かれる。また、透光部４５４に入射した光は、導光部４５６または副導光部４５７の凹凸で屈折または拡散等されて、該導光部４５６および副導光部４５７を発光させる。このように、照明演出部４５０は、発光部４６０を遮蔽部４５２と透光部４５４との間に設けず、遮蔽部４５２および透光部４５４の間の隙間Ｓに照射した発光部４６０の光によって透光部４５４に設けた導光部４５６を発光演出する構成であるので、遮蔽部４５２と透光部４５４との間隔を狭く設定して全体としてコンパクトにすることができる。従って、演出ユニット４０２の狭いスペースを用いて照明演出部４５０を設けることができる。また、透光部４５４を覆う装飾部４６４は、透光部４５４側の面が光を反射し得るよう構成されているので、前記隙間Ｓに照射した光を装飾部４６４で反射させて、導光部４５６を明輝させることができる。更に、照明演出部４５０は、遮蔽部４５２における透光部４５４側の面が光を反射し得るよう構成されているので、遮蔽部４５２および透光部４５４の間の隙間Ｓに照射した光を遮蔽部４５２で反射させて、導光部４５６を明輝させることができる。
【０１１０】
前記照明演出部４５０は、遮蔽部４５２および透光部４５４の間の隙間Ｓが前後に連通するように設けられているが、隙間Ｓの前側が目隠し部４５９で覆われているので、発光部４６０から照射した光が直接視認されることを回避できる。そして、目隠し部４５９を装飾発光基板４７０の設置スペースとして用いることで、限られたスペースを有効利用して遊技盤２０の発光演出に寄与し得る。
【０１１１】
(変更例)
なお、遊技機の構成としては、実施例のものに限らず、種々の変更が可能である。
(１)動作演出装置の第１可動部材および第２可動部材の動作は、実施例の態様に限定されず、例えば第１可動部材を水平移動したり、第２可動部材を揺動させてもよい。
(２)動作演出装置の弾性部材としてコイルばねを例に挙げたが、付勢力を与える手段としては、コイルばねに限定されず、トーションばねや板ばね等のその他のばねやゴム等の弾性体であってもよい。
(３)可動演出装置の可動体は、上下に往復移動する構成に限定されず、左右方向に往復移動する構成であってもよい。可動体の待機位置は、表示開口部の上側に限定されず、表示開口部の左右の側部や下側であってもよい。
(４)可動演出装置のガイド手段は、可動ベースに凸状部を設け、可動体に凹状部を設ける構成であってもよい。
(５)回転発光装置において、一対の第２回転灯発光体の発光制御パターンを、回転部材の回転範囲を３分割する態様や４分割する態様を例示したが、これに限定されず、２または５以上に分割して設定してもよい。
(６)照明演出部は、遮蔽部として発光演出部の構成部材を用いたが、別に遮蔽板を設けてもよい。
(７)光拡散処理としては、例えば光透過性を有する部材の表面に凹凸を形成するような表面加工や、光反射性を有する微粒子を含有する光拡散インクを種々の濃度分布で光透過性を有する部材の表面に印刷または塗布等する加工や、部材を構成する樹脂自体に光反射性を有する微粒子を分散させる例えばラメ加工や、透過する光の屈折率を変える加工等を指し、１つの加工だけであっても、複数の加工を組み合わせてもよい。なお、表面加工の具体例としては、溝加工、ダイヤモンドカット加工、シボ加工、ブラスト加工などが挙げられ、光の屈折率を変える加工としては、部材の表面に該部材と屈折率が異なる微細な凹凸を設けたシートレンズの如きものが挙げられる。
(８)発光体としてＬＥＤを例に挙げたが、これに限定されず、電球や有機ＥＬその他の光を照射し得るものであれば採用できる。
(９)実施例では、動作演出装置の位置検知手段として光センサを例に挙げたが、これに限定されず、マイクロスイッチ等の機械式や磁気センサあるいはその他の検知手段を採用し得る。
(１０)実施例では、動作演出装置や可動演出装置の駆動源として、モータやソレノイドをを用いたが、その他の流体圧シリンダ等のアクチュエータを用いてもよい。
(１１)実施例では、遊技盤の裏側に設置部材を設けるよう構成したが、該設置部材を本体枠としての中枠に設置する構成も採用できる。
(１２)実施例では、遊技盤として透明樹脂板を採用したが、これに限られるものではなく、遊技盤を合成樹脂材から構成するようにしてもよい。
(１３)実施例では、遊技機としてパチンコ機を例示して説明したが、これに限られるものではなく、アレンジボール機やピンボール機、スロットマシン機等の各種遊技機を採用し得る。
【符号の説明】
【０１１２】
１０  パチンコ機(遊技機)
３００  回転発光装置
３１０  第２発光体開口(補助反射部)
３２０  第１回転灯発光体(第１発光体)
３２４  回転部材
３２６  第１反射部
３２７  第２反射部
３２７ａ  反射鏡面(反射面)
３３０  回転灯カバー部材(カバー部材)
３３４  後壁部(壁面)
３４０  第２回転灯発光体(第２発光体)
３７６  後壁面(補助反射部)
【図１】
0005455959.tif 000002
【図２】
0005455959.tif 000003
【図３】
0005455959.tif 000004
【図４】
0005455959.tif 000005
【図５】
0005455959.tif 000006
【図６】
0005455959.tif 000007
【図７】
0005455959.tif 000008
【図８】
0005455959.tif 000009
【図９】
0005455959.tif 000010
【図１０】
0005455959.tif 000011
【図１１】
0005455959.tif 000012
【図１２】
0005455959.tif 000013
【図１３】
0005455959.tif 000014
【図１４】
0005455959.tif 000015
【図１５】
0005455959.tif 000016
【図１６】
0005455959.tif 000017
【図１７】
0005455959.tif 000018
【図１８】
0005455959.tif 000019
【図１９】
0005455959.tif 000020
【図２０】
0005455959.tif 000021
【図２１】
0005455959.tif 000022
【図２２】
0005455959.tif 000023
【図２３】
0005455959.tif 000024
【図２４】
0005455959.tif 000025
【図２５】
0005455959.tif 000026
【図２６】
0005455959.tif 000027
【図２７】
0005455959.tif 000028
【図２８】
0005455959.tif 000029
【図２９】
0005455959.tif 000030
【図３０】
0005455959.tif 000031
【図３１】
0005455959.tif 000032
【図３２】
0005455959.tif 000033
【図３３】
0005455959.tif 000034
【図３４】
0005455959.tif 000035
【図３５】
0005455959.tif 000036